(57)【要約】【課題】吸収式冷凍機による太陽熱を利用した空調システムであり、太陽熱集熱パネルで回収された太陽熱を冷房運転に効果的に利用することができる空調システムの提供。【解決手段】太陽熱回路（Ｌ）と、吸収式冷凍機（１）と、第１の熱交換器（２）と、制御装置（１０）を備え、太陽熱回路（Ｌ）には太陽熱集熱器（３）及び太陽熱回路内で熱媒体を循環させるための第１のポンプ（Ｐ１）を介装しており、太陽熱回路（Ｌ）から分岐（Ｂ１）して合流（三方弁Ｖｂ）する分岐回路（ＬＢ１）を設け、分岐回路（ＬＢ１）には成層タイプの貯湯槽（４）及び分岐回路（ＬＢ１）内で熱媒体を流過させる第２のポンプ（Ｐ２）が介装されている。【選択図】図１
2010014328.tif 000002
【特許請求の範囲】
【請求項１】
太陽熱回路（Ｌ）と、吸収式冷凍機（１）と、吸収式冷凍機（１）内を循環する吸収溶液と太陽熱回路（Ｌ）を循環する熱媒体とが熱交換を行なう第１の熱交換器（２）と、制御装置（１０）を備え、太陽熱回路（Ｌ）には太陽熱集熱器（３）及び太陽熱回路内で熱媒体を循環させるための第１のポンプ（Ｐ１）を介装しており、太陽熱回路（Ｌ）から分岐（Ｂ１）して合流（Ｖｂ）する分岐回路（ＬＢ１）を設け、分岐回路（ＬＢ１）には成層タイプの貯湯槽（貯湯槽４）及び分岐回路（ＬＢ１）内で熱媒体を流過させる第２のポンプ（Ｐ２）が介装されており、前記制御装置（１０）は、貯湯槽（４）内の成層状態を保持しつつ、貯湯槽（４）内に太陽熱を蓄熱し或いは貯湯槽（４）内に蓄熱された熱量を太陽熱回路（Ｌ）に放出する機能と、太陽熱回路（Ｌ）を循環する熱媒体が貯湯槽（４）を経由し或いは経由しない様に熱媒体の流れを切り換える機能とを有していることを特徴とする空調システム。
【請求項２】
分岐回路（ＬＢ１）と太陽熱回路（Ｌ）との合流点には、流量を調節し且つ流路を切り換える流路切換装置（Ｖｂ）が配置されており、分岐回路（ＬＢ１）は第１の開閉弁（Ｖ１）を介装した第１の分岐ライン（Ｌｂ１）と第２の開閉弁（Ｖ２）を介装した第２の分岐ライン（Ｌｂ２）とに分岐しており、第１の分岐ライン（Ｌｂ１）は貯湯槽（４）の上方の領域に連通し、第２の分岐ライン（Ｌｂ２）は貯湯槽（４）の下方の領域に連通しており、貯湯槽（４）と太陽熱回路（Ｌ）との合流点（Ｖｂ）との間には第３の開閉弁（Ｖ３）を介装した第３の分岐ライン（Ｌｂ３）と第４の開閉弁（Ｖ４）を介装した第４の分岐ライン（Ｌｂ４）とが設けられ、貯湯槽（４）の上方の領域は第３の分岐ライン（Ｌｂ３）を介して太陽熱回路（Ｌ）との合流点（Ｖｂ）に連通し、貯湯槽（４）の下方の領域は第４の分岐ライン（Ｌｂ４）を介して太陽熱回路（Ｌ）との合流点（Ｖｂ）に連通しており、前記制御装置（１０）は、太陽熱回路（Ｌ）を流れる熱媒体の温度と貯湯槽（４）内の熱媒体の温度とに基づいて、第１の開閉弁〜第４の開閉弁（Ｖ１〜Ｖ４）の開閉制御と、第２のポンプ（Ｐ２）の作動・停止制御と、流路切換装置（Ｖｂ）の切換制御を行なう機能を有している請求項１の空調システム。
【請求項３】
前記制御装置（１０）は、太陽熱回路（Ｌ）を流れる熱媒体が保有する熱量を貯湯槽（４）内に蓄熱する場合には、第１の開閉弁（Ｖ１）及び第４の開閉弁（Ｖ４）を開放し、第２の開閉弁（Ｖ２）及び第３の開閉弁（Ｖ３）を閉鎖し、貯湯槽（４）内に蓄熱された熱量を太陽熱回路（Ｌ）に供給する場合には、第２の開閉弁（Ｖ２）及び第３の開閉弁（Ｖ３）を開放し、第１の開閉弁（Ｖ１）及び第４の開閉弁（Ｖ４）を閉鎖する機能を有している請求項２の空調システム。
【請求項４】
太陽熱回路（Ｌ）における第１の熱交換器（２）よりも太陽熱集熱器の出口（３ｏ）側の領域を流れる熱媒体の温度（Ｔ１）を計測する第１の温度センサ（Ｓｔ1）と、貯湯槽（４）上方の領域における熱媒体の温度（Ｔ２）を計測する第２の温度センサ（Ｓｔ２）と、太陽熱回路（Ｌ）における分岐回路（ＬＢ１）との分岐点（Ｂ１）より第１の熱交換器（２）側の領域を流れる熱媒体の温度（Ｔ３）を計測する第３の温度センサ（Ｓｔ３）とを備え、前記制御装置（１０）は、吸収式冷凍機（１）が起動して第１のポンプ（Ｐ１）が作動した後、第１の温度センサ（Ｓｔ１）で計測した熱媒体温度（Ｔ１）が吸収冷凍機（１）を流れる吸収溶液を加熱することが出来るしきい値（Ｔ０）以下であり、第２の温度センサ（Ｓｔ２）で計測した貯湯槽（４）内の熱媒体温度（Ｔ２）が第３の温度センサ（Ｓｔ３）で計測した熱媒体温度（Ｔ３）以下の場合には第２のポンプ（Ｐ２）を停止し、太陽熱回路（Ｌ）を流れる熱媒体が分岐回路（ＬＢ１）へ流入しない状態に流路切換装置（Ｖｂ）を制御する機能を有している請求項３の空調システム。
【請求項５】
前記制御装置（１０）は、第１の温度センサ（Ｓｔ１）で計測した熱媒体温度（Ｔ１）が吸収冷凍機（１）を流れる吸収溶液を加熱することが出来るしきい値（Ｔ０）以下であり、第２の温度センサ（Ｓｔ２）で計測した貯湯槽（４）内の熱媒体温度（Ｔ２）が第３の温度センサ（Ｓｔ３）で計測した熱媒体温度（Ｔ３）よりも高温である場合には第２のポンプ（Ｐ２）を作動し、流路切換装置（Ｖｂ）を制御して太陽熱回路（Ｌ）を流れる熱媒体が貯湯槽（４）を経由する流量を比例制御し、第１の温度センサ（Ｓｔ１）で計測した熱媒体温度（Ｔ１）が吸収冷凍機（１）を流れる吸収溶液を加熱することが出来るしきい値（Ｔ０）となる様に制御する機能を有する請求項４の空調システム。
【請求項６】
第１の熱交換器（２）よりも太陽熱集熱器の出口（３ｏ）側の領域を流れる熱媒体の温度（Ｔ１）を計測する第１の温度センサ（Ｓｔ１）を備え、前記制御装置（１０）は、第１の温度センサ（Ｓｔ１）で計測した熱媒体温度（Ｔ１）が、吸収冷凍機（１）を流れる吸収溶液を加熱することが出来るしきい値（Ｔ０）に所定温度（ΔＴ０）を加えた温度（Ｔ０＋ΔＴ０）よりも高温である場合に、流路切換装置（Ｖｂ）を制御して太陽熱回路（Ｌ）を流れる熱媒体が貯湯槽（４）を経由する流量を比例制御し、第１の温度センサ（Ｓｔ１）で計測した熱媒体温度（Ｔ１）が吸収冷凍機（１）を流れる吸収溶液を加熱することが出来るしきい値（Ｔ０）よりも所定温度（ΔＴ０）だけ高温となる様に制御する機能を有している請求項３〜５の何れか１項の空調システム。
【請求項７】
太陽熱回路（Ｌ）から分岐（Ｂ２）して第２の熱交換器（５）を経由して太陽熱回路（Ｌ）に合流（Ｖｃ）する第２の分岐回路（ＬＢ２Ｈ）が介装されており、第２の熱交換器（５）は太陽熱回路（Ｌ）を流れる熱媒体と温水ライン（Ｌｈ）を流れる温水とが熱交換を行なう機能を有しており、温水ライン（Ｌｈ）は暖房負荷に連通している請求項１〜６の何れか１項の空調システム。
【請求項８】
前記制御装置（１０）は、冷房運転を行なっている場合には太陽熱回路（Ｌ）を第１の熱交換器（２）と連通するが、第２の熱交換器（５）はバイパスさせる機能と、暖房運転を行なっている場合には太陽熱回路（Ｌ）を第２の熱交換器（５）と連通するが、第１の熱交換器（２）はバイパスさせる機能とを有している請求項７の空調システム。
【発明の詳細な説明】
【技術分野】
【０００１】
本発明は太陽熱を空調に利用する技術に関し、より詳細には、吸収式冷凍機による冷房運転に太陽熱を利用した空調システムに関する。
【背景技術】
【０００２】
熱源により冷熱を得る技術として、吸収式冷凍機が広く普及している。その様な吸収式冷凍機において、比較的低温（３０℃〜１２０℃）の熱を利用するタイプのものも提案されている（例えば特許文献１、特許文献２参照）。この様な比較的低温（３０℃〜１２０℃）の熱を利用するタイプの吸収式冷凍機であれば、太陽熱集熱器（太陽熱集熱パネル：コレクタ）により得られた熱、いわゆる「太陽熱」、を利用することも可能である。
しかし、上述した従来技術に係る吸収式冷凍機（特許文献１、特許文献２）では、太陽熱集熱パネルとの組み合わせは考慮されておらず、天候或いは日射量により大きく変動する熱源である太陽熱を利用するという観点では、システムや制御を設計してはいない。
【０００３】
ここで太陽熱集熱パネルは、日射量、外気温、その他の条件が合致すれば集熱を行なうが、吸収式冷凍機に接続された空調負荷は、太陽熱集熱パネルにおける太陽熱の集熱の有無とは無関係に変動する。
そのため、太陽熱集熱パネルと吸収式冷凍機とを組み合わせた空調システムにおいて、吸収式冷凍機、太陽熱集熱パネル、両者を接続する機構、システム全体の制御が適正に構築されていないと、太陽熱集熱パネルで集熱した太陽熱が浪費或いは無駄使いされてしまったり、システム内を流れる熱媒体が過熱により沸騰してしまったり、熱媒体が凍結してしまう等の問題を起こしてしまう。
【０００４】
これに対して、貯湯槽と太陽熱集熱パネルを組み合わせたシステムにおいて、太陽熱が集熱可能か否かを判断して太陽熱集熱パネルを介装した回路内で熱媒体を循環するポンプを稼動、停止すると共に、熱媒体の温度により回路内の開閉弁と前記ポンプの制御を行なう技術が提案されている（特許文献３参照）。
また、貯湯槽と太陽熱集熱パネルを組み合わせたシステムにおいて、太陽熱集熱パネルを介装した回路を流れる熱媒体の凍結を防止する技術も存在する（特許文献４参照）。
同様なシステムにおいて、太陽熱集熱パネルやラインの一部が蓄熱槽よりも低く設置されており、太陽熱集熱パネルやラインから熱媒体を抜く際に蓄熱槽内の熱媒体が流出するのを防止する技術も存在する（特許文献５参照）。
【０００５】
そして、貯湯槽と太陽熱集熱パネルを組み合わせたシステムにおいて、太陽熱集熱パネルを介装した回路を流れる熱媒体の沸騰を防止する技術も存在する（特許文献６〜特許文献８参照）。
さらに、貯湯槽と太陽熱集熱パネルを組み合わせたシステムにおいて、太陽熱集熱パネルを介装した回路を流れる熱媒体を循環させるポンプを停止した後、再起動した際に、当該熱媒体が高温である場合に配管や熱交換器、ポンプ等の機器がいわゆる「ヒートショック状態」となり、当該機器類を破損してしまうことを防止する技術も存在する（特許文献９参照）。
【０００６】
しかし、係る従来技術（特許文献３〜特許文献９）では、太陽熱集熱パネルと蓄熱槽（或いは蓄熱槽内の熱交換器）と直列に接続されている。そのため、太陽熱を吸収式冷凍機で利用する場合においては、蓄熱槽内の熱媒体も太陽熱で加熱して昇温しなければ、太陽熱集熱パネルを介装した回路内を流れる熱媒体温度も昇温しない。
そのため、太陽熱の集熱を開始してから、吸収式冷凍機で利用可能となるまで長時間が必要であり、吸収式冷凍機による空調について太陽熱を効果的に利用することが困難である。
また、係る従来技術（特許文献３〜特許文献９）は、太陽熱利用という観点から適正なシステム、制御を行なうものではなく、太陽熱利用に適したシステム、制御の提供という要請に応えることが出来ない。
【特許文献１】特開平７−２１８０１７号公報
【特許文献２】特開２００５−１２１３３２号公報
【特許文献３】特開昭５７−１９２７４６号公報
【特許文献４】特開昭５８−６３５６号公報
【特許文献５】特開昭５８−１２９６２号公報
【特許文献６】特開昭５８−１４２１５９号公報
【特許文献７】特開昭５９−２１９４５号公報
【特許文献８】特開昭６０−２０７８５５号公報
【特許文献９】特開５９−４４５４６号公報
【発明の開示】
【発明が解決しようとする課題】
【０００７】
本発明は上述した従来技術の問題点に鑑みて提案されたものであり、空調運転に太陽熱を利用した空調システムであって、太陽熱集熱パネルで回収された太陽熱を冷暖房運転に効果的に利用することができる様な空調システムの提供を目的としている。
【課題を解決するための手段】
【０００８】
本発明の空調システムにおいて、太陽熱回路（Ｌ）と、吸収式冷凍機（１）と、吸収式冷凍機内を循環する吸収溶液と太陽熱回路（Ｌ）を循環する熱媒体とが熱交換を行なう第１の熱交換器（２：太陽熱熱交換器、熱回収器）と、制御装置（１０）を備え、太陽熱回路（Ｌ）には太陽熱集熱器（３：太陽熱集熱パネル：コレクタ）及び太陽熱回路内で熱媒体を循環させるための第１のポンプ（Ｐ１）を介装しており、太陽熱回路（Ｌ）から分岐（分岐点Ｂ１）して合流（三方弁Ｖｂ）する分岐回路（ＬＢ１）を設け、分岐回路（ＬＢ１）には成層タイプの貯湯槽（貯湯槽４）及び分岐回路（ＬＢ１）内で熱媒体を流過させる第２のポンプ（Ｐ２）が介装されており、前記制御装置（１０）は、貯湯槽（４）内の成層状態を保持しつつ、貯湯槽（４）内に太陽熱を蓄熱し或いは貯湯槽（４）内に蓄熱された熱量を太陽熱回路（Ｌ）に放出する機能と、太陽熱回路（Ｌ）を循環する熱媒体が貯湯槽（４）を経由し或いは経由しない様に熱媒体の流れを切り換える機能とを有していることを特徴としている（請求項１）。
ここで、第１の熱交換器（２：太陽熱熱交換器）は、吸収式冷凍機（１）において、吸収器から出ている希溶液ラインに装備されて、太陽熱（太陽熱回路Ｌを循環する熱媒体が保有する熱量）を回収する熱回収器全般を包含している。
【０００９】
本発明（請求項１の空調システム）において、分岐回路（ＬＢ１）と太陽熱回路（Ｌ）との合流点には、流量を調節し且つ流路を切り換える流路切換装置（三方弁Ｖｂ）が配置されており、分岐回路（ＬＢ１）は第１の開閉弁（Ｖ１）を介装した第１の分岐ライン（Ｌｂ１）と第２の開閉弁（Ｖ２）を介装した第２の分岐ライン（Ｌｂ２）とに分岐しており、第１の分岐ライン（Ｌｂ１）は貯湯槽（４）の上方の領域に連通し、第２の分岐ライン（Ｌｂ２）は貯湯槽（４）の下方の領域に連通しており、貯湯槽（４）と太陽熱回路（Ｌ）との合流点（三方弁Ｖｂ）との間には第３の開閉弁（Ｖ３）を介装した第３の分岐ライン（Ｌｂ３）と第４の開閉弁（Ｖ４）を介装した第４の分岐ライン（Ｌｂ4）とが設けられ、貯湯槽（４）の上方の領域は第３の分岐ライン（Ｌｂ３）を介して太陽熱回路（Ｌ）との合流点（三方弁Ｖｂ）に連通し、貯湯槽（４）の下方の領域は第４の分岐ライン（Ｌｂ４）を介して太陽熱回路（Ｌ）との合流点（三方弁Ｖｂ）に連通しており、前記制御装置（１０）は、太陽熱回路（Ｌ）を流れる熱媒体の温度と貯湯槽（４）内の熱媒体の温度とに基づいて、第１の開閉弁〜第４の開閉弁（Ｖ１〜Ｖ４）の開閉制御と、第２のポンプ（Ｐ２）の作動・停止制御と、流路切換装置（三方弁Ｖｂ）の切換制御を行なう機能を有しているのが好ましい（請求項２）。
【００１０】
ここで（請求項２の空調システムにおいて）、前記制御装置（１０）は、太陽熱回路（Ｌ）を流れる熱媒体が保有する熱量を貯湯槽（４）内に蓄熱する場合（例えば、日射量が多い場合）には、第１の開閉弁（Ｖ１）及び第４の開閉弁（Ｖ４）を開放し、第２の開閉弁（Ｖ２）及び第３の開閉弁（Ｖ３）を閉鎖し、貯湯槽（４）内に蓄熱された熱量を太陽熱回路（Ｌ）に供給する場合（日射量が多く且つ吸収式冷凍機側へ太陽熱を投入する場合）には、第２の開閉弁（Ｖ２）及び第３の開閉弁（Ｖ３）を開放し、第１の開閉弁（Ｖ１）及び第４の開閉弁（Ｖ４）を閉鎖する機能を有しているのが好ましい（請求項３）。
【００１１】
また本発明（請求項３の空調システム）において、太陽熱回路（Ｌ）における第１の熱交換器（２）よりも太陽熱集熱器（３：太陽熱集熱パネル：コレクタ）の出口（３ｏ）側の領域を流れる熱媒体の温度（Ｔ１）を計測する第１の温度センサ（Ｓｔ1）と、貯湯槽（４）上方の領域における熱媒体の温度（Ｔ２）を計測する第２の温度センサ（Ｓｔ２）と、太陽熱回路（Ｌ）における分岐回路（ＬＢ１）との分岐点（Ｂ１）より第１の熱交換器（２）側の領域を流れる熱媒体の温度（Ｔ３）を計測する第３の温度センサ（Ｓｔ３）とを備え、前記制御装置（１０）は、吸収式冷凍機（１）が起動して第１のポンプ（Ｐ１）が作動した後、第１の温度センサ（Ｓｔ１）で計測した熱媒体温度（Ｔ１）が吸収冷凍機（１）を流れる吸収溶液を加熱することが出来るしきい値（Ｔ０）以下であり、第２の温度センサ（Ｓｔ２）で計測した貯湯槽（４）内の熱媒体温度（Ｔ２）が第３の温度センサ（Ｓｔ３）で計測した熱媒体温度（Ｔ３）以下の場合には第２のポンプ（Ｐ２）を停止し、太陽熱回路（Ｌ）を流れる熱媒体が分岐回路（ＬＢ１）へ流入しない状態に流路切換装置（三方弁Ｖｂ）を制御する機能を有しているのが好ましい（請求項４：図２参照）。
【００１２】
この場合（請求項４の空調システムにおいて）、前記制御装置（１０）は、第１の温度センサ（Ｓｔ１）で計測した熱媒体温度（Ｔ１）が吸収冷凍機（１）を流れる吸収溶液を加熱することが出来るしきい値（Ｔ０）以下であり、第２の温度センサ（Ｓｔ２）で計測した貯湯槽（４）内の熱媒体温度（Ｔ２）が第３の温度センサ（Ｓｔ３）で計測した熱媒体温度（Ｔ３）よりも高温である場合には第２のポンプ（Ｐ２）を作動し、流路切換装置（三方弁Ｖｂ）を制御して太陽熱回路（Ｌ）を流れる熱媒体が貯湯槽（４）を経由する流量を比例制御し、第１の温度センサ（Ｓｔ１）で計測した熱媒体温度（Ｔ１）が吸収冷凍機（１）を流れる吸収溶液を加熱することが出来るしきい値（Ｔ０）となる様に制御する（図２におけるステップＳ９）機能を有するのが好ましい（請求項５：図２参照）。
【００１３】
本発明（請求項３〜５の何れか１項の空調システム）において、太陽熱回路（Ｌ）における第１の熱交換器（２）よりも太陽熱集熱器（３：太陽熱集熱パネル：コレクタ）の出口（３ｏ）側の領域を流れる熱媒体の温度（Ｔ１）を計測する第１の温度センサ（Ｓｔ１）を備え、前記制御装置（１０）は、第１の温度センサ（Ｓｔ１）で計測した熱媒体温度（Ｔ１）が、吸収冷凍機（１）を流れる吸収溶液を加熱することが出来るしきい値（Ｔ０）に所定温度（ΔＴ０）を加えた温度（Ｔ０＋ΔＴ０）よりも高温である場合に、流路切換装置（三方弁Ｖｂ）を制御して太陽熱回路（Ｌ）を流れる熱媒体が貯湯槽（４）を経由する流量を比例制御し、第１の温度センサ（Ｓｔ１）で計測した熱媒体温度（Ｔ１）が吸収冷凍機（１）を流れる吸収溶液を加熱することが出来るしきい値（Ｔ０）よりも所定温度（ΔＴ０）だけ高温となる様に制御する（図３のステップＳ３０）機能を有しているのが好ましい（請求項６：図３参照）。
【００１４】
ここで（請求項６において）、貯湯槽（４）上方の領域における熱媒体の温度（Ｔ２）を計測する第２の温度センサ（Ｓｔ２）と、太陽熱回路（Ｌ）における分岐回路（ＬＢ１）との分岐点（Ｂ１）よりも第１の熱交換器（２）側の領域を流れる熱媒体の温度（Ｔ３）を計測する第３の温度センサ（Ｓｔ３）とを備え、前記制御装置（１０）は、第１の温度センサ（Ｓｔ１）で計測した熱媒体温度（Ｔ１）が吸収冷凍機（１）を流れる吸収溶液を加熱することが出来るしきい値（Ｔ０）以下となったが、第２の温度センサ（Ｓｔ２）で計測した貯湯槽（４）内の熱媒体温度（Ｔ２）が第３の温度センサ（Ｓｔ３）で計測した熱媒体温度（Ｔ３）よりも高温である場合には、第２のポンプ（Ｐ２）を作動し、第２の開閉弁（Ｖ２）及び第３の開閉弁（Ｖ３）を開放し、第１の開閉弁（Ｖ１）及び第４の開閉弁（Ｖ４）を閉鎖し、以って、貯湯槽（４）の成層状態を維持しつつ貯湯槽（４）で蓄熱された熱量を太陽熱回路（Ｌ）に放出すると共に、流路切換装置（三方弁Ｖｂ）を制御して太陽熱回路（Ｌ）を流れる熱媒体が貯湯槽（４）を経由する流量を比例制御し、第１の温度センサ（Ｓｔ１）で計測した熱媒体温度（Ｔ１）が吸収冷凍機（１）を流れる吸収溶液を加熱することが出来るしきい値（Ｔ０）よりも所定温度（ΔＴ０）だけ高温にせしめる（図３のステップＳ３０）機能を有しているのが好ましい（図３参照）。
【００１５】
上述した本発明の空調システム（請求項４の空調システム）の制御方法は、吸収式冷凍機（１）が起動して第１のポンプ（Ｐ１）が作動した後、第１の温度センサ（Ｓｔ１）で計測した熱媒体温度（Ｔ１）が吸収冷凍機（１）を流れる吸収溶液を加熱することが出来るしきい値（Ｔ０）以下であり、第２の温度センサ（Ｓｔ２）で計測した貯湯槽（４）内の熱媒体温度（Ｔ２）が第３の温度センサ（Ｓｔ３）で計測した熱媒体温度（Ｔ３）以下の場合には第２のポンプ（Ｐ２）を停止し、太陽熱回路（Ｌ）を流れる熱媒体が分岐回路（ＬＢ１）へ流入しない状態に流路切換装置（三方弁Ｖｂ）を切換制御する（図２におけるステップＳ１３）のが好ましい。
【００１６】
この場合、第１の温度センサ（Ｓｔ１）で計測した熱媒体温度（Ｔ１）が吸収冷凍機（１）を流れる吸収溶液を加熱することが出来るしきい値（Ｔ０）以下であり、第２の温度センサ（Ｓｔ２）で計測した貯湯槽（４）内の熱媒体温度（Ｔ２）が第３の温度センサ（Ｓｔ３）で計測した熱媒体温度（Ｔ３）よりも高温である場合には第２のポンプ（Ｐ２）を作動し、流路切換装置（三方弁Ｖｂ）を制御して太陽熱回路（Ｌ）を流れる熱媒体が貯湯槽（４）を経由する流量を比例制御する（図２におけるステップＳ９）のが好ましい。
【００１７】
上述した本発明の空調システム（請求項６の空調システム）の制御方法において、第１の温度センサ（Ｓｔ１）で計測した熱媒体温度（Ｔ１）が、吸収冷凍機（１）を流れる吸収溶液を加熱することが出来るしきい値（Ｔ０）に所定温度（ΔＴ０）を加えた温度（Ｔ０＋ΔＴ０）よりも高温である場合に、流路切換装置（三方弁Ｖｂ）を制御して太陽熱回路（Ｌ）を流れる熱媒体が貯湯槽（４）を経由する流量を比例制御し、第１の温度センサ（Ｓｔ１）で計測した熱媒体温度（Ｔ１）が吸収冷凍機（１）を流れる吸収溶液を加熱することが出来るしきい値（Ｔ０）よりも所定温度（ΔＴ０）だけ高温となる様に制御する（図３のステップＳ２６）のが好ましい。
【００１８】
ここで、本発明（請求項６の空調システム）の制御方法において、第１の温度センサ（Ｓｔ１）で計測した熱媒体温度（Ｔ１）が吸収冷凍機（１）を流れる吸収溶液を加熱することが出来るしきい値（Ｔ０）以下となったが、第２の温度センサ（Ｓｔ２）で計測した貯湯槽（４）内の熱媒体温度（Ｔ２）が第３の温度センサ（Ｓｔ３）で計測した熱媒体温度（Ｔ３）よりも高温である場合には、第２のポンプ（Ｐ２）を作動し、第２の開閉弁（Ｖ２）及び第３の開閉弁（Ｖ３）を開放し、第１の開閉弁（Ｖ１）及び第４の開閉弁（Ｖ４）を閉鎖し、以って、貯湯槽（４）の成層状態を維持しつつ貯湯槽（４）で蓄熱された熱量を太陽熱回路（Ｌ）に放出すると共に、流路切換装置（三方弁Ｖｂ）を制御し以って太陽熱回路（Ｌ）を流れる熱媒体が貯湯槽（４）を経由する流量を比例制御して、第１の温度センサ（Ｓｔ１）で計測した熱媒体温度（Ｔ１）が吸収冷凍機（１）を流れる吸収溶液を加熱することが出来るしきい値（Ｔ０）よりも所定温度（ΔＴ０）だけ高温にせしめる（図３のステップＳ３０）のが好ましい（図３参照）。
【００１９】
本発明において、太陽熱回路（Ｌ）から分岐（Ｂ２）して第２の熱交換器（暖房熱交換器５）を経由して太陽熱回路（Ｌ）に合流（三方弁Ｖｃ）する第２の分岐回路（ＬＢ２Ｈ）が介装されており、第２の熱交換器（暖房熱交換器５）は太陽熱回路（Ｌ）を流れる熱媒体と温水ライン（暖房温水ラインＬｈ）を流れる温水とが熱交換を行なう機能を有しており、温水ライン（暖房温水ラインＬｈ）は暖房負荷に連通するのが好ましい（請求項７）。
【００２０】
係る空調システム（請求項７の空調システム）において、前記制御装置（１０）は、冷房運転を行なっている場合には太陽熱回路（Ｌ）を第１の熱交換器（２：太陽熱熱交換器、熱回収器）と連通するが、第２の熱交換器（暖房熱交換器５）はバイパスさせる機能と、暖房運転を行なっている場合には太陽熱回路（Ｌ）を第２の熱交換器（暖房熱交換器５）と連通するが、第１の熱交換器（２：太陽熱熱交換器、熱回収器）はバイパスさせる機能とを有しているのが好ましい（請求項８）。
【発明の効果】
【００２１】
上述する構成を具備する本発明によれば、成層タイプの貯湯槽（貯湯槽４）は太陽熱回路（Ｌ）から分岐（分岐点Ｂ１）して合流（三方弁Ｖｂ）する分岐回路（ＬＢ１）に介装されているので、起動時に太陽熱回路（Ｌ）を流れる熱媒体が分岐回路（ＬＢ１）に流入しない様に切り換えれば、貯湯槽（４）内の熱媒体については、吸収冷凍機（１）或いは暖房熱交換器（５）で太陽熱が利用することが出来るしきい値温度（Ｔ０）以上まで昇温する必要がない。
その結果、分岐回路（ＬＢ１）及び貯湯槽（４）内の熱媒体以外の熱媒体のみを当該しきい値温度（Ｔ０）より高温に加熱すれば良く、分岐回路（ＬＢ１）及び貯湯槽（４）内の熱媒体加熱のための時間が不要となるので、起動時における熱媒体加熱のための時間を短縮化することが出来る。
【００２２】
また、本発明に空調システムによれば、太陽熱集熱器（３：太陽熱集熱パネル：コレクタ）における太陽熱の集熱状況、太陽熱回路（Ｌ）内を循環する熱媒体の温度、貯湯槽（４）内の熱媒体温度等に基づいて、貯湯槽（４）内に太陽熱を蓄熱し、或いは貯湯槽（４）内に蓄熱された熱量を太陽熱回路（Ｌ）に放出しつつ、貯湯槽（４）内の成層状態を保持して、太陽熱を空調システムで有効利用することが可能となる。
そして、太陽熱利用という観点から適正なシステム、制御を行なうことが可能となり、以って、太陽熱利用に適したシステム、制御を提供することが出来る。
【００２３】
さらに本発明では、太陽熱回路（Ｌ）における第１のポンプ（Ｐ１）の作動・停止を吸収式冷凍機（１）の作動・停止と同期させることが出来るので、熱媒体搬送について、余分な動力を使用することを防止できる。
また、太陽熱の集熱状況、太陽熱回路（Ｌ）内を循環する熱媒体の温度、貯湯槽（４）内の熱媒体温度等に基づいて、分岐回路（ＬＢ１）における第２のポンプ（Ｐ２）の作動・停止を適正に制御することが出来るので、熱媒体を分岐回路（ＬＢ１）で余計に搬送させてしまうことが防止される。
そして、第１のポンプ（Ｐ１）、第２のポンプ（Ｐ２）の作動、停止を適正に制御することにより、消費動力の節約が可能である。
【００２４】
上述した適正な制御を実現するため、本発明においては、流路切換装置（三方弁Ｖｂ）を制御して太陽熱回路を流れる熱媒体が貯湯槽（４）を経由する流量を比例制御し、太陽熱回路（Ｌ）における第１の熱交換器（２）よりも太陽熱集熱器（３：太陽熱集熱パネル：コレクタ）側の領域を流れる熱媒体の温度（Ｔ１）が、吸収冷凍機（１）を流れる吸収溶液を加熱することが出来るしきい値（Ｔ０）よりも所定温度（ΔＴ０）だけ高温にせしめる様に制御する（図３のステップＳ２６、Ｓ３０）ことが可能である（請求項６）。
（請求項６により）その様な制御を実行すれば、吸収式冷凍機（１）の熱利用特性を最大化して、集熱可能な温度まで昇温させることが出来る。
【発明を実施するための最良の形態】
【００２５】
以下、添付図面を参照して、本発明の実施形態について説明する。
図１において、全体を符号１００で示す空調システムは、太陽熱集熱器（太陽熱集熱パネル、集熱パネル）３を介装した太陽熱回路Ｌと、吸収式冷凍機１と、制御手段であるコントロールユニット１０を有している。
【００２６】
太陽熱回路Ｌは、吸収式冷凍機１に設けられた太陽熱回収用の第１の熱交換器２（太陽熱熱交換器）に連通している。ここで、第１の熱交換器２（太陽熱熱交換器）は、吸収式冷凍機１において、吸収器から出ている希溶液ラインに装備されて、太陽熱（太陽熱回路Ｌを循環する熱媒体が保有する熱量）を回収する熱回収器全般を包含している。そして、明確には図示されていないが、吸収式冷凍機１において、吸収器から流出した吸収溶液は、太陽熱熱交換器２において、太陽熱回路Ｌを流れる熱媒体が保有する熱量が投入されて加熱される。
太陽熱回路Ｌを流れる熱媒体としては、例えば温水、或いは、不凍液を混入した温水を用いることが出来る。しかし、熱媒体としては、これに限定されるものではない。
なお図１において、太陽熱回路Ｌに付された矢印は、熱媒体の流れの向きを示している。
【００２７】
太陽熱回路Ｌには第１の分岐点Ｂ１が設けられており、分岐点Ｂ１（第１の分岐点）と太陽熱集熱パネル３との間の領域には、三方弁Ｖｂが介装されている。三方弁Ｖｂはポートｃ、ポートｄ、ポートｅを有し、第１の分岐点Ｂ１とポートｃとは第１の分岐回路ＬＢ１によって接続されており、第１の分岐回路ＬＢ１には成層タイプの貯湯槽４が介装されている。
【００２８】
太陽熱回路Ｌにおいて、太陽熱集熱パネル３の出口３ｏと、吸収式冷凍機１の入口１ｉとの間の領域には、分岐点Ｂ３（第３の分岐点）が形成されている。また、吸収式冷凍機１の出口１ｏ近傍の領域には、三方弁Ｖａが介装されている。三方弁Ｖａは、ポートｃ、ポートｄ、ポートｅを有し、第３の分岐点Ｂ３とポートｄとが第３のバイパス回路ＬＢ３によって接続されている。
図１において、吸収冷凍機１に太陽熱を投入する第１の熱交換器２は、太陽熱回路Ｌにおいて、吸収式冷凍機１の入口１ｉと出口１ｏとの間に位置している。
【００２９】
太陽熱回路Ｌにおいて、三方弁Ｖａと分岐点Ｂ１との間の領域には、分岐点Ｂ２（第２の分岐点）が設けられ、分岐点Ｂ２と第１の分岐点Ｂ１との間の領域には、三方弁Ｖｃが介装されており、三方弁Ｖｃはポートｃ、ポートｄ、ポートｅを有している。そして、第２の分岐点Ｂ２と三方弁Ｖｃのポートｃとは、第２の分岐回路ＬＢ２Ｈによって接続されており、第２の分岐回路ＬＢ２Ｈには、第２の熱交換器（暖房熱交換器）５が介装されている。
暖房熱交換器５において、太陽熱回路Ｌを流れる熱媒体と、図示しない暖房負荷に連通する暖房温水ラインＬｈを流れる温水とが、熱交換を行なうように構成されている。
【００３０】
明確には図示されていないが、図１の空調システム１００において、コントロールユニット１０は、空調システム１００が冷房運転を行なっているのか、暖房運転を行っているのかを判断する。判断に当たっては、例えば、図示しない運転切換スイッチからの制御を受信して判断しても良いし、各種の制御パラメータを計測して、判断しても良い。
空調システム１００が冷房運転を行なっている場合には、コントロールユニット１０は、三方弁Ｖａ及びＶｃを切換制御して、太陽熱回路Ｌを太陽熱熱交換器２に連通し、三方弁Ｖｃを切換制御して、太陽熱回路Ｌが暖房熱交換器５をバイパスする様にせしめる。
一方、空調システム１００が暖房運転を行なっている場合には、コントロールユニット１０は、三方弁Ｖａ及びＶｃを切換制御して、太陽熱回路Ｌを暖房熱交換器５と連通し、三方弁Ｖａを切換制御して、太陽熱回路Ｌが太陽熱熱交換器２をバイパスする様にせしめている。
【００３１】
太陽熱回路Ｌにおいて、三方弁Ｖｂと太陽熱集熱パネル３との間の領域には、第１のポンプＰ１が介装されている。
太陽熱回路Ｌにおいて、太陽熱集熱パネル３の出口３ｏと第３の分岐点Ｂ３との間の領域には、圧力センサ７、膨張タンク８、リリースバルブ９が介装されている。
ここで、膨張タンク８は、太陽熱回路Ｌを流れる熱媒体の膨張に対処するために回想されており、リリースバルブ９は、太陽熱回路Ｌ内の圧力が上昇した場合に当該圧力を逃がすために介装されている。
【００３２】
太陽熱回路Ｌにおいて、リリースバルブ９と分岐点Ｂ３との間の領域には、温度センサＳｔ１（第１の温度センサ）、温度センサＳｔ１１が介装されている。
吸収冷凍機１の出口１ｏと三方弁Ｖａの間の領域には温度センサＳｔ１２が介装されており、三方弁Ｖａと分岐点Ｂ２との間の領域には温度センサＳｔ１３が介装されている。
三方弁Ｖｃと分岐点Ｂ１との間の領域には温度センサＳｔ３（第３の温度センサ）が介装され、太陽熱集熱パネル３の入口３ｉ側には温度センサＳｔ５（第５の温度センサ）が介装されている。
太陽熱集熱パネル３の表面には温度センサＳｔ６（第６の温度センサ）が設けられ、太陽熱集熱パネル３の出口３ｏと圧力センサ７との間の領域には温度センサＳｔ４（第４の温度センサ）が介装されている。
【００３３】
第２の分岐回路ＬＢ２Ｈにおいて、分岐点Ｂ２と第２の熱交換器５との間の領域には温度センサＳｔ１４が介装されており、第２の熱交換器５と三方弁Ｖｃの間の領域には温度センサＳｔ１５が介装されている。
暖房温水ラインＬｈにおける第２の熱交換器５の出口側（図示しない暖房負荷に温水を供給する側）には温度センサＳｔ５１が介装され、第２の熱交換器５の入口側（図示しない暖房負荷から温水が送られる側）には温水温度センサＳｔ５２が介装されており、暖房温水ラインＬｈを流れる温水温度を計測している。
また、第２の熱交換器５の入口側には流量計Ｓｆが介装されており、暖房温水ラインＬｈを流れる温水の流量を計測している。
【００３４】
空調システム１００のコントロールユニット１０は、三方弁Ｖａの切換制御を行なって、太陽熱回路Ｌを流れる熱媒体が保有する熱量が太陽熱熱交換器２を介して吸収式冷凍機１内を循環する吸収溶液に投入される様に制御している。
それと共に、吸収式冷凍機１内を循環する吸収溶液が保有する熱量が、太陽熱熱交換器２において、太陽熱回路Ｌを循環する熱媒体に逆流しない様に制御している。
【００３５】
すなわち、コントロールユニット１０は、太陽熱回路Ｌを循環する熱媒体が吸収式冷凍機１へ流入する直前の温度Ｔ１１（温度センサＳｔ１１の計測値）と、熱交換器２を経由した直後の熱媒体温度Ｔ１２（温度センサＳｔ１２の計測値）或いは三方弁Ｖａを流過した直後の熱媒体温度Ｔ１３（温度センサＳｔ１３の計測値）を計測して、吸収溶液の液温が熱交換器２を流れる熱媒体の温度よりも高温であるか否か、すなわち、吸収溶液から熱媒体への「熱の逆流」が生じるか否かを判断する。
「熱の逆流」が生じると判断された場合には、コントロールユニット１０は、太陽熱回路Ｌを循環する熱媒体が太陽熱熱交換器２をバイパスしてラインＬＢ３を流れる様に、三方弁Ｖａを切り換える。
【００３６】
太陽熱回路Ｌの分岐点Ｂ１と三方弁Ｖｂとを接続する第１の分岐回路ＬＢ１には、成層タイプの貯湯槽４が介装されている。換言すれば、太陽回路Ｌは、成層タイプの貯湯槽４をバイパス可能な態様で介装している。
成層タイプの貯湯槽４を介装した第１の分岐回路ＬＢ１は、分岐点Ｂ１で太陽熱回路Ｌから分岐しており、三方弁Ｖｂで太陽熱回路Ｌと合流している。そして、分岐回路ＬＢ１と貯湯槽４とは、開閉弁Ｖ１〜Ｖ４を介装した４本のラインＬｂ１、Ｌｂ２、Ｌｂ３、Ｌｂ４で接続されている。
【００３７】
詳細については図２以下を参照して後述するが、日射量が十分にあって太陽熱集熱パネル３で熱媒体が高温に加熱されている場合に、加熱された熱媒体を貯湯槽４に貯留して蓄熱を行なう（図３の蓄熱運転のステップＳ２４〜Ｓ２７）。
係る蓄熱の際には、開閉弁Ｖ１、Ｖ４を開放して、開閉弁Ｖ２、Ｖ３を閉鎖する。これにより、加熱された熱媒体はラインＬｂ１を介して貯湯槽４の上方に流入する。そして、貯湯槽４の下方領域に存在する低温の熱媒体が、ラインＬｂ４、三方弁Ｖｂのポートｃを介して、太陽熱回路Ｌに流入する。
ラインＬｂ１を介して貯湯槽４の上方に高温の熱媒体が流入し、貯湯槽４の下方の低温の熱媒体はラインＬｂ４を介して貯湯槽４から流出することにより、貯湯槽４の上方領域が高温で下方領域が低温の成層状態が維持されたまま、貯湯槽４内の熱媒体の温度が上昇し、以って、貯湯槽４内で蓄熱がされる。
【００３８】
一方、日射量が少なくて太陽熱集熱パネル３では熱媒体が加熱されないが、貯湯槽４において蓄熱されており、吸収式冷凍機１側に太陽熱を投入するべき場合には、開閉弁Ｖ２、Ｖ３を開放して、開閉弁Ｖ１、Ｖ４を閉鎖する。
この場合は、太陽熱集熱パネル３で熱媒体が加熱されないので、吸収式冷凍機１側に熱量を投入した後の（太陽熱回路Ｌを循環している）熱媒体の温度（Ｔ３）は低い。一方、貯湯槽４は蓄熱がされているため、少なくとも、貯湯槽４上方領域の熱媒体温度（Ｔ２）は高温となっている。すなわち、Ｔ２＞Ｔ３である。
【００３９】
低温の熱媒体を貯湯槽４の上方に流入させてしまうと成層状態が崩れてしまうので、低温の熱媒体は貯湯槽４の下方に流入させる必要がある。そのため、開閉弁Ｖ１を閉鎖し、熱媒体がラインＬｂ１を介して貯湯槽４上方に流入しないようにしている。それと共に、開閉弁Ｖ２を開放して、熱媒体がラインＬｂ２を介して貯湯槽４下方に流入するようにしている。
一方、貯湯槽４内の熱媒体は、少なくとも貯湯槽４上方領域における熱媒体温度は比較的高温となっているので、開閉弁Ｖ３を開放して、貯湯槽４上方領域における比較的高温な熱媒体をラインＬｂ３経由で太陽熱回路Ｌに流入させている。ここで、貯湯槽４の下方領域における熱媒体温度は低温であるため、開閉弁Ｖ４を閉鎖して、低温熱媒体が太陽熱回路Ｌに流入しない様にしている。
【００４０】
また、太陽熱回路Ｌには、前述したように、暖房熱交換器（第２の熱交換器）５が介装されており、太陽熱回路Ｌを循環する熱媒体と、図示しない暖房負荷に連通する暖房温水ラインＬｈを流れる温水とで熱交換を行なう様に構成されている。
コントロールユニット１０は、暖房熱交換器５において、太陽熱回路Ｌを流れる熱媒体が保有する熱量が暖房温水ラインＬｈを流れる温水に投入される様にせしめると共に、暖房温水ラインＬｈを流れる温水が保有する熱量が、暖房熱交換器５を介して太陽熱回路Ｌを循環する熱媒体に逆流しない様にするため、三方弁Ｖｃの切換制御を行なっている。
【００４１】
すなわち、太陽熱回路Ｌを循環する熱媒体における暖房熱交換器５直前の温度（Ｔ１４）、或いは、暖房熱交換器５で暖房負荷に連通する暖房温水ラインＬｈを流れる温水と熱交換を行なった直後の熱媒体温度（Ｔ１５）を計測して、暖房温水ラインＬｈを流れる温水の温度（Ｔ５１、Ｔ５２）と比較して、暖房温水ラインＬｈを流れる温水から太陽熱回路Ｌを循環する熱媒体へ、いわゆる「熱の逆流」が生じるか否かを判断する。
「熱の逆流」が生じると判断された場合には、コントロールユニット１０は、太陽熱回路Ｌを循環する熱媒体が暖房熱交換器５をバイパスする様に、三方弁Ｖｃを切り換える。
【００４２】
「暖房温水ラインＬｈを流れる温水の温度」について、図１では、暖房熱交換器５で加熱されて暖房負荷に向かう温水温度Ｔ５１と、暖房負荷から暖房熱交換器に向かう温水温度Ｔ５２とを計測しているが、三方弁ＶＣの切換制御においては、温水温度Ｔ５１、Ｔ５２の何れか一方のみを制御パラメータとしても良い。
【００４３】
上述した空調システム１００では、太陽熱集熱パネル３が過熱状態になった場合は、余剰の熱量を貯湯槽４に蓄熱する。そして、貯湯タンクが限界温度に達した場合は、安全停止するように構成されている。詳細については、図５を参照して後述する。
また、空調システム１００は、日射不足等で太陽熱集熱パネル３における集熱ができない場合には、熱媒体循環ポンプＰ１、Ｐ２を停止させるように構成されている（図６、図７を参照して後述）。その場合、日射が回復し、太陽熱集熱パネル３での集熱が可能になった場合は、熱媒体循環ポンプＰ１、Ｐ２を再開するように構成されている（図６、図７を参照して後述）。
そして空調システム１００は、吸収式冷凍機１の停止時でも、太陽熱集熱パネルで集熱可能な条件が整っていれば、貯湯槽４への蓄熱を目的として、集熱運転が可能なように構成されている（図９、図１０を参照して後述）。
また、空調システム１００は、熱媒体循環ポンプＰ１、Ｐ２の停止時に、熱媒体ラインの凍結を回避するように構成されている（図１１を参照して後述）。
【００４４】
図１で示す空調システム１００を起動する手順について、主として図２を参照して説明する。
図２のステップＳ１では、吸収冷凍機１を起動する。ここで、ステップＳ１以前の段階では、ポンプＰ１、Ｐ２は停止しており、開閉弁Ｖ１、Ｖ４は閉鎖しており、開閉弁Ｖ２、Ｖ３は開放している。
そしてステップＳ２では、太陽熱回路Ｌの第１のポンプＰ１を作動させる。ステップＳ２を実行するに先立って、図１２で後述するヒートショックを防止するための制御を行なう。また、図６のステップＳ６６から、ステップＳ２に進む場合が存在する。
ステップＳ３では所定時間が経過したか否かを判断し、所定時間が経過するまでは待機する（ステップＳ３がＮＯのループ）。所定時間が経過後したならば（ステップＳ３のＹＥＳ）、第１の温度センサＳｔ１で計測した太陽熱回路Ｌの熱媒体温度Ｔ１がしきい値Ｔ０を超えているか否かを判断する（ステップＳ４）。ここで、しきい値Ｔ０は、太陽熱回路Ｌを流れる熱媒体温度であって、当該熱媒体が保有する熱量が吸収式冷凍機１或いは暖房熱交換器５で利用可能な最低温度を意味している。換言すれば、しきい値Ｔ０は、吸収冷凍機１側或いは暖房熱交換器５側で太陽熱受け入れ可能な限界値（最低値）を示している。
【００４５】
熱媒体温度Ｔ１がしきい値Ｔ０よりも高温であれば（ステップＳ４がＹＥＳ）、ステップＳ１４に進み、図３で示す運転制御（温水入口温度最適化制御を行なう場合の運転制御）、或いは、図４で示す運転制御（温水入口温度最適化制御を行なわない場合の運転制御）を行なう。
一方、熱媒体温度Ｔ１がしきい値Ｔ０以下であれば（ステップＳ４がＮＯ）、ステップＳ１５に進み、図６で示す日射不足判定制御を行なう。そして、ステップＳ５に進む。
ここで、図３のステップＳ３４からステップＳ２に進む場合が存在する。
【００４６】
ステップＳ５では、第２の温度センサＳｔ２で計測した貯湯槽４の上方領域における熱媒体温度Ｔ２が、太陽熱回路Ｌにおける分岐点Ｂ１直前の熱媒体温度Ｔ３（第３の温度センサＳｔ３の計測値）よりも高温であるか否かを判断する。熱媒体温度Ｔ２が熱媒体温度Ｔ３よりも高温であれば（ステップＳ５がＹＥＳ）ステップＳ６に進む。
一方、貯湯槽４の上方領域における熱媒体温度Ｔ２が太陽熱回路Ｌにおける分岐点Ｂ１直前の熱媒体温度Ｔ３以下であれば（ステップＳ５がＮＯ）、貯湯槽４の蓄熱量が不十分であると判断して、ステップＳ４以降を繰り返す（ステップＳ５がＮＯのループ）。
【００４７】
ステップＳ６（貯湯槽４の上方領域における熱媒体温度Ｔ２が太陽熱回路Ｌにおける分岐点Ｂ１直前の熱媒体温度Ｔ３よりも高温：ステップＳ５がＹＥＳ）では、太陽熱集熱パネル３における集熱量は不十分ではあるが、貯湯槽４の蓄熱槽は十分であると判断して、蓄熱槽４を太陽熱回路Ｌに連通させるべく、第１の分岐回路ＬＢ１のポンプＰ２を作動させる。そしてステップＳ７で、貯湯槽４の上方領域における熱媒体温度Ｔ２が許容最高値Ｔ２ＭＡＸ未満であるか否かを判断する。
ここで、許容最高値Ｔ２ＭＡＸは、貯湯槽４内の高温の熱媒体を、太陽熱回路Ｌを循環している低温の熱媒体と混合することなく、そのまま太陽熱回路Ｌに流入させると、太陽熱回路Ｌ及び／又は集熱パネル３が危険な温度（しきい値温度：例えば８５℃）である。
貯湯槽４の上方の熱媒体温度Ｔ２が許容最高値Ｔ２ＭＡＸよりも低温であれば（ステップＳ７がＹＥＳ）ステップＳ８に進み、貯湯槽４の上方の熱媒体温度Ｔ２が許容最高値Ｔ２ＭＡＸ以上であれば（ステップＳ７がＮＯ）ステップＳ９に進む。
【００４８】
ステップＳ８（貯湯槽４の上方の熱媒体温度Ｔ２が許容最高値Ｔ２ＭＡＸよりも低温：ステップＳ７がＹＥＳ）では、三方弁Ｖｂのポートｃとポートｅとが連通する様に切換制御して、分岐点Ｂ１よりもポンプＰ１側の領域には、貯湯槽４から流出した熱媒体が１００％流過する様にせしめる。そして、ステップＳ１０に進む。
ステップＳ９（貯湯槽４の上方の熱媒体温度Ｔ２が許容最高値Ｔ２ＭＡＸ以上：ステップＳ７がＮＯ）では、太陽熱回路Ｌを流れる熱媒体の温度Ｔ１がしきい値（吸収式冷凍機側で太陽熱を受け入れ可能な温度）Ｔ０と等しくなる様に、三方弁Ｖｂを比例制御する。換言すれば、三方弁Ｖｂのポートｃ及びポートｄとを部分的にポートｅに連通せしめ、貯湯槽４から流出する許容最高値Ｔ２ＭＡＸ以上の高温の熱媒体と、太陽熱回路Ｌを流れるしきい値Ｔ０以下の低温の熱媒体とを混合して、混合された熱媒体温度がＴ０となる様に、三方弁Ｖｂを比例制御するのである。そしてステップＳ１０に進む。
【００４９】
ステップＳ１０では、ステップＳ８或いはステップＳ９の制御を実行した後に、第２の温度センサＳｔ２で計測した貯湯槽４の上方領域における熱媒体温度Ｔ２が、太陽熱回路Ｌにおける分岐点Ｂ１直前の熱媒体温度Ｔ３（第３の温度センサＳｔ３の計測値）よりも高温であるか否かを判断する。
熱媒体温度Ｔ２が熱媒体温度Ｔ３よりも高温であれば（ステップＳ１０がＹＥＳ）、ステップＳ１１に進む。
一方、貯湯槽４の上方領域における熱媒体温度Ｔ２が太陽熱回路Ｌにおける分岐点Ｂ１直前の熱媒体温度Ｔ３以下であれば（ステップＳ１０がＮＯ）、貯湯槽４の熱が利用できないと判断して、分岐回路ＬＢ１中のポンプＰ２を停止させる。そして、三方弁Ｖｂを制御して、太陽熱回路Ｌの熱媒体が貯湯槽４側或いは分岐回路ＬＢ１側に流入しない様に、ポートｄとポートｅとを連通して、分岐回路ＬＢ１側のポートｃを封鎖する（ステップＳ１３）。そしてステップＳ４に戻る。
【００５０】
ステップＳ１１（熱媒体温度Ｔ２が熱媒体温度Ｔ３よりも高温：ステップＳ１０がＹＥＳ）では、ステップＳ５〜Ｓ１０の制御を実行した後に、太陽熱回路Ｌを流れる熱媒体温度Ｔ１がしきい値Ｔ０よりも高温であるか否かを判断する。太陽熱回路Ｌを流れる熱媒体温度Ｔ１がしきい値Ｔ０よりも高温であれば（ステップＳ１１がＹＥＳ）ステップＳ１２に進む。
一方、ステップＳ５〜Ｓ１０の制御を実行した後においても、太陽熱回路Ｌを流れる熱媒体温度Ｔ１がしきい値Ｔ０以下のままであれば（ステップＳ１１がＮＯ）、ステップＳ１７に進み、図６で示す日射不足判定制御を行った後、ステップＳ１０に戻る。
【００５１】
ステップＳ１２（太陽熱回路Ｌを流れる熱媒体温度Ｔ１がしきい値Ｔ０よりも高温：ステップＳ１１がＹＥＳ）では、集熱パネル３により太陽熱が集熱されて熱媒体温度が昇温しているので、吸収式冷凍機１或いは暖房熱交換器５には集熱パネル３により加熱された熱媒体が保有する熱量を投入すれば良く、貯湯槽４内に蓄熱された熱量を吸収式冷凍機１或いは暖房熱交換器５に投入する必要は無いと判断される。そのため、ポンプＰ２を停止し、三方弁Ｖｂを制御して、貯湯槽４内の熱媒体が太陽熱回路Ｌ内に流入しない様に、ポートｄとポートｅとが１００％連通する様に切換制御を行なう。そしてステップＳ１６に進み、図３或いは図４で示す運転制御を実行する。
【００５２】
上述した図２の起動制御によれば、空調システムの起動時において、貯湯槽４に蓄熱されていない場合（貯湯槽４の上方領域における熱媒体温度Ｔ２が、太陽熱回路Ｌにおける分岐点Ｂ１直前の熱媒体温度Ｔ３以下の場合：ステップＳ５、Ｓ１０がＮＯ）には、ポンプＰ２を作動せず、三方弁Ｖｂは太陽熱回路Ｌを流れる熱媒体が分岐回路ＬＢ１及び貯湯槽４に流入しない様に切り換えられる。そのため、起動時において、貯湯槽４内の熱媒体をしきい値温度Ｔ０（吸収冷凍機１を流れる吸収溶液を加熱することが出来る温度）以上まで昇温する必要がない。
その結果、太陽熱回路Ｌの熱媒体の内、分岐回路ＬＢ１及び貯湯槽４内の熱媒体以外の熱媒体のみをしきい値温度Ｔ０より高温に加熱すれば、吸収式冷凍機１或いは暖房熱交換器５に太陽熱を投入することが出来て、分岐回路ＬＢ１及び貯湯槽４内の熱媒体加熱のための時間が不要となる。すなわち、起動時における熱媒体加熱のための時間を短縮化することが出来、太陽熱の有効利用が促進される。
【００５３】
また、貯湯槽４に蓄熱されていない場合（貯湯槽４の上方領域における熱媒体温度Ｔ２が、太陽熱回路Ｌにおける分岐点Ｂ１直前の熱媒体温度Ｔ３以下の場合：ステップＳ５、Ｓ１０がＮＯ）には、分岐回路ＬＢ１のポンプＰ２を停止させるので、不必要な電力を節約することができる。
なお、図示の実施形態における起動制御としては、図２を参照して上述した制御に加えて、図１４を参照して後述する制御も可能である。
【００５４】
図３は、図１で示すシステムにおいて、太陽熱回路Ｌを流れる熱媒体が保有する熱量を吸収式冷凍機１或いは暖房熱交換器５で利用する場合に、太陽熱集熱パネル３の集熱効率に配慮しつつ、太陽熱回路Ｌを流れる熱媒体温度を、吸収式冷凍機１或いは暖房熱交換器５に太陽熱を投入するのに最適な温度にする制御（温水入口温度最適制御）を示している。
主として図３を参照しつつ、係る温水入口温度最適制御について説明する。
図３において「スタート」の状態となるのは、図２で示す起動制御において、ステップＳ１４或いはステップＳ１６に進んだ場合である。係る場合においては、太陽熱回路Ｌを流れる熱媒体温度Ｔ１（温度センサＳｔ１で計測される熱媒体温度）がしきい値Ｔ０よりも高温であり、吸収式冷凍機１或いは暖房熱交換器５を作動して、三方弁Ｖａにより太陽熱を吸収式冷凍機１に投入し、或いは、三方弁Ｖｃにより太陽熱を暖房熱交換器５に投入している。
【００５５】
ステップＳ２１では、三方弁Ｖａを切換制御して太陽熱を吸収式冷凍機１に投入した後、或いは、三方弁Ｖｃを切換制御して太陽熱を暖房熱交換器５に投入した後、太陽熱回路Ｌを循環する熱媒体が定常状態となる時間（所定時間：例えば、３０秒〜６０秒）が経過したか否かを判断する。
三方弁Ｖａを切換制御した後、所定時間を経過したならば（ステップＳ２１がＹＥＳ）、ステップＳ３５に進み、図５で示す過熱防止制御を行なう。そして、ステップＳ２２に進む。
【００５６】
ステップＳ２２では、太陽熱回路Ｌの熱媒体温度Ｔ１が、しきい値Ｔ０に余裕代ΔＴ０を加えた温度「Ｔ０＋ΔＴ０」よりも高温であるか否かを判断する。ここで、熱媒体温度Ｔ１と、しきい値Ｔ０とを比較しないのは、太陽熱回路Ｌの温度Ｔ１がしきい値Ｔ０を僅かでも下回ると、吸収式冷凍機１或いは暖房熱交換器５に太陽熱が投入されないことにすると、いわゆる「ハンチング」を生じてしまい、制御が不安定になる恐れが存在する。係るハンチングを防止するために、ステップＳ２２では、余裕代ΔＴ０を考慮した温度「Ｔ０＋ΔＴ０」と、太陽熱回路Ｌの熱媒体温度Ｔ１とを比較している。
ここで、余裕代ΔＴ０は例えば５℃である
【００５７】
太陽熱回路Ｌの熱媒体温度Ｔ１が、しきい値Ｔ０に余裕代ΔＴ０を加えた温度「Ｔ０＋ΔＴ０」よりも高温でなければ（ステップＳ２２がＮＯ）、ステップＳ２３に進む。一方、太陽熱回路Ｌの熱媒体温度Ｔ１が、しきい値Ｔ０に余裕代ΔＴ０を加えた温度「Ｔ０＋ΔＴ０」よりも高温であれば（ステップＳ２２がＹＥＳ）、ステップＳ２４に進む。
ステップＳ２３では、太陽熱回路Ｌの熱媒体温度Ｔ１が、しきい値Ｔ０よりも高温であるか否かを判断する。熱媒体温度Ｔ１が、しきい値Ｔ０よりも高温であれば（ステップＳ２３がＹＥＳ）、ステップＳ３５に戻り、図５で示す過熱防止制御を繰り返す。
一方、太陽熱回路Ｌの熱媒体温度Ｔ１が、しきい値Ｔ０以下であれば（ステップＳ２３がＮＯ）、吸収式冷凍機１或いは暖房熱交換器５に太陽熱を投入することが出来ない状態であるので、ステップＳ３４で、図２のステップＳ１５に進む。
【００５８】
太陽熱回路Ｌの熱媒体温度Ｔ１が温度「Ｔ０＋ΔＴ０」よりも高温であれば（ステップＳ２２がＹＥＳ）、太陽熱を吸収式冷凍機１に投入すると共に、貯湯槽４で太陽熱を蓄熱することも可能であると判断する。そして、ステップＳ２４において分岐回路ＬＢ１のポンプＰ２を作動し、ステップＳ２５では、貯湯槽４の成層状態を維持するため、分岐回路ＬＢ１の開閉弁Ｖ１とＶ４を開放し、開閉弁Ｖ２及びＶ３を閉鎖する。
ステップＳ２６では、三方弁Ｖｂを比例制御して、太陽熱回路Ｌを流れる比較的高温の熱媒体と、貯湯槽４下方領域に貯留された比較的低温の熱媒体とを混合して、太陽熱回路Ｌの熱媒体温度Ｔ１が温度「Ｔ０＋ΔＴ０」となるようにせしめる（Ｔ１=Ｔ０+ΔＴ０）。そしてステップＳ２７に進み、太陽熱回路Ｌの熱媒体の温度Ｔ１がしきい値Ｔ０を上回っているか否かを判断する。
太陽熱回路Ｌの熱媒体温度Ｔ１がしきい値Ｔ０以下であれば（ステップＳ２７がＮＯ）、ステップＳ２８に進む。熱媒体温度Ｔ１がしきい値Ｔ０を上回っていれば（ステップＳ２７がＹＥＳ）、ステップＳ３６に進み、図５で示す過熱防止制御を行って、ステップＳ２６に戻る。
【００５９】
ステップＳ２８（太陽熱回路Ｌの熱媒体温度Ｔ１がしきい値Ｔ０以下：ステップＳ２７がＮＯ）では、第２の温度センサＳｔ２で計測した貯湯槽４の上方領域における熱媒体温度Ｔ２が、太陽熱回路Ｌにおける分岐点Ｂ１直前の熱媒体温度Ｔ３よりも高温であるか否かを判断する。
ステップＳ２８がＹＥＳの場合には、熱媒体温度Ｔ１がしきい値Ｔ０以下で、且つ、貯湯槽４の上方領域における熱媒体温度Ｔ２が分岐点Ｂ１直前の熱媒体温度Ｔ３よりも高温なので、太陽熱回路Ｌを流れる熱媒体の熱量は吸収式冷凍機１或いは暖房熱交換器５には投入できないが、貯湯槽４の熱は吸収式冷凍機１に投入出来ると判断して、ステップＳ２９に進む。
第２の温度センサＳｔ２で計測した貯湯槽４の上方領域における熱媒体温度Ｔ２が、太陽熱回路Ｌにおける分岐点Ｂ１直前の熱媒体温度Ｔ３以下であれば（ステップＳ２８がＮＯ）、太陽熱回路Ｌを流れる熱媒体の熱量も、貯湯槽４の熱も、吸収式冷凍機１或いは暖房熱交換器５には投入出来ないと判断して、ステップＳ３３まで進む。
【００６０】
ステップＳ２９（熱媒体温度Ｔ１がしきい値Ｔ０以下で、且つ、貯湯槽４の上方領域における熱媒体温度Ｔ２が分岐点Ｂ１直前の熱媒体温度Ｔ３よりも高温）では、開閉弁Ｖ１、Ｖ４を閉鎖し、開閉弁Ｖ２、Ｖ３を開放し（図１の状態）、貯湯槽４の上方領域における熱媒体を太陽熱回路Ｌ側に送り出し、ステップＳ３０に進む。
ステップＳ３０では、三方弁Ｖｂを切換制御して、太陽熱回路Ｌの熱媒体温度Ｔ１が温度「Ｔ０＋ΔＴ０」となるように比例制御する（Ｔ１=Ｔ０+ΔＴ０）。ステップＳ３０における比例制御は、分岐回路ＬＢ１側からの熱媒体流量が０％の場合や、１００％の場合を包含し得る。そしてステップＳ３１に進む。
【００６１】
ステップＳ３１では、第１の温度センサＳｔ１で計測した太陽熱回路Ｌの熱媒体温度Ｔ１が、しきい値Ｔ０に余裕代ΔＴ０を加えた温度「Ｔ０＋ΔＴ０」よりも高温あるか否かを判断する。太陽熱回路Ｌの熱媒体温度Ｔ１が、温度「Ｔ０＋ΔＴ０」以下であれば（ステップＳ３１がＮＯ）、ステップＳ３２に進む。
第１の温度センサＳｔ１で計測した太陽熱回路Ｌの熱媒体温度Ｔ１が、温度「Ｔ０＋ΔＴ０」よりも高温であれば（ステップＳ３１がＹＥＳ）、ステップＳ３７に進み、図５で示す過熱防止制御を行って、ステップＳ２５まで戻り、再びステップＳ２５以下を繰り返す。
【００６２】
ステップＳ３２（熱媒体温度Ｔ１が温度「Ｔ０＋ΔＴ０」以下：ステップＳ３１がＮＯ）では、熱媒体温度Ｔ１が、しきい値Ｔ０を超えているか否かを判断する。熱媒体温度Ｔ１が、しきい値Ｔ０を超えていれば（ステップＳ３２がＹＥＳ）、ステップＳ３０まで戻り、ステップＳ３０以降を繰り返す。一方、熱媒体温度Ｔ１が、しきい値Ｔ０を以下であれば（ステップＳ３２がＮＯ）、吸収式冷凍機１或いは暖房熱交換器５に太陽熱を投入することは出来ないと判断して、ポンプＰ２を停止（ステップＳ３３）して、ステップＳ３４に進む。そして、図２で示す起動制御におけるステップＳ１５に進む。
【００６３】
図３で示す運転制御方法によれば、ステップＳ２６、ステップＳ３０において、三方弁Ｖｂでポートｄとポートｅとを部分的に連通し、且つ、ポートｃとポートｅとを部分的に連通することにより、太陽熱回路Ｌを循環している熱媒体と貯湯槽４で貯蔵されていた熱媒体とを混合し、その各々の流量を比例制御している。それにより、太陽熱回路Ｌを流れる熱媒体温度Ｔ１が、温度「Ｔ０＋ΔＴ０」となる様に制御され、以って、熱媒体温度の最適化が測られ、空調システム１００の効率が向上する。
また、太陽熱集熱パネル３における集熱量と、吸収式冷凍機１或いは暖房熱交換器５で投入するべき熱量とのアンバランスが吸収されて、空調システム１００の効率向上が図られる。
【００６４】
図４は、図１の空調システム１００において、太陽熱を吸収式冷凍機１或いは暖房熱交換器５に投入する場合の制御を示している。
太陽熱を吸収式冷凍機１或いは暖房熱交換器５で利用する場合における運転制御である点では、図４で示す制御は図３で示す制御と同様である。しかし、図４で示す制御では、吸収式冷凍機１或いは暖房熱交換器５に太陽熱を投入するべく、太陽熱回路Ｌを循環する熱媒体温度Ｔ１を、温度「Ｔ０＋ΔＴ０」とする制御（温水入口温度最適制御）は行なっていない。
図４の制御は、吸収式冷凍機１或いは暖房熱交換器５における太陽熱利用の促進を優先しており、太陽熱パネル３で可能な限り高温で太陽熱の集熱を行っているケースを想定している。
【００６５】
図４においても、図３と同様に、「スタート」の状態となるのは、図２で示す起動制御において、ステップＳ１４或いはステップＳ１６に進んだ場合である。係る場合においては、太陽熱回路Ｌを流れる熱媒体温度Ｔ１（温度センサＳｔ１で計測される熱媒体温度）がしきい値Ｔ０よりも高温であり、吸収式冷凍機１或いは暖房熱交換器５を作動して、三方弁Ｖａにより太陽熱を吸収式冷凍機１に投入し、或いは三方弁Ｖｃにより太陽熱を暖房熱交換器５に投入している。
【００６６】
ステップＳ４１では、三方弁Ｖａを切換制御して太陽熱を吸収式冷凍機１に投入した後、或いは、三方弁Ｖｃを切換制御して太陽熱を暖房熱交換器５に投入した後、太陽熱回路Ｌを循環する熱媒体が定常状態となる時間（所定時間：例えば、３０秒〜６０秒）が経過したか否かを判断する。
三方弁Ｖａ或いは三方弁Ｖｃを切換制御した後、所定時間を経過したならば（ステップＳ４１がＹＥＳ）、ステップＳ４２に進み、図５で示す過熱防止制御を行なう。そして、ステップＳ４３に進む。
ステップＳ４３では、太陽熱回路Ｌの温度Ｔ１がしきい値Ｔ０よりも高温であるか否かを判断する。
【００６７】
太陽熱回路Ｌの温度Ｔ１がしきい値Ｔ０よりも高温であれば（ステップＳ４３がＹＥＳ）、吸収冷凍機１或いは暖房熱交換器５に太陽熱を投入可能と判断して、ステップＳ４２に進み、図５で示す過熱防止制御等を繰り返す。
太陽熱回路Ｌの温度Ｔ１がしきい値Ｔ０以下であれば（ステップＳ４３がＮＯ）、吸収冷凍機１或いは暖房熱交換器５に太陽熱を投入出来ないと判断して、ステップＳ４４に進む。そして、図２のステップＳ１５へ進む。
【００６８】
図５は、図１で示すシステムにおいて、日射量が多過ぎて太陽熱回路Ｌを循環する熱媒体が過熱状態となるのを防止する制御を示している。
図５で示す制御では、日射量が増加して、太陽熱収集パネル３で熱媒体が昇温し過ぎた場合に、可能な限り空調システム１００の運転を継続している。それと共に、限界に達した場合には、空調システム１００の安全のため、直ちに停止する。これにより、熱媒体が過熱状態となり、太陽熱回路Ｌを構成する各種機器が破損することを防止している。
【００６９】
図５において、「スタート」の段階で、第４の温度センサＳｔ４によって太陽熱集熱パネル３における出口直後の熱媒体温度Ｔ４が計測されており、ステップＳ５１では、熱媒体温度Ｔ４がしきい値である許容最高温度Ｔ４ＭＡＸよりも高温であるか否かを判断する。ここで、しきい値である許容最高温度Ｔ４ＭＡＸは、太陽熱集熱パネル３における出口直後の熱媒体温度であって、この温度以下の場合には、過熱防止制御を行なう必要がない温度であって、例えば９２℃である。
熱媒体温度Ｔ４が許容最高温度Ｔ４ＭＡＸよりも高温であれば（ステップＳ５１がＹＥＳ）、貯湯槽４に蓄熱するべく、ステップＳ５２に進む。
一方、熱媒体温度Ｔ４が許容最高温度Ｔ４ＭＡＸ以下であれば（ステップＳ５１がＮＯ）、過熱防止制御は不要であると判断して、「エンド」に進み、図５の過熱防止制御を終了する。その結果、図３で示す制御では、ステップＳ３６からステップＳ２６に進み、ステップＳ３７からステップＳ２５に進む。或いは、図４で示す制御では、ステップＳ４２からステップＳ４３に進む。
【００７０】
再び図５において、ステップＳ５２（熱媒体温度Ｔ４が許容最高温度Ｔ４ＭＡＸよりも高温：ステップＳ５１がＹＥＳ）では、貯湯槽４に熱を回収するため、分岐回路ＬＢ１のポンプＰ２を作動させる。ここで、熱媒体温度Ｔ４が許容最高温度Ｔ４ＭＡＸよりも高温であるため、成層状態を維持するため、高温の熱媒体を貯湯槽４の上方に流入し、低温の熱媒体を貯湯槽４の下方から流出させるべく、開閉弁Ｖ１、Ｖ４を開放し、開閉弁Ｖ２、Ｖ３を閉鎖する。そしてステップＳ５３に進む。
ここで、太陽熱集熱パネル３における集熱量が多く、吸収式冷凍機１或いは暖房熱交換器５で必要とする以上の太陽熱が集熱できた場合には、余剰の太陽熱を積極的に貯湯槽４で蓄熱するべく、ステップＳ５３で、より多くの熱媒体が蓄熱槽４を経由するように、三方弁Ｖｂを比例制御する。すなわち、太陽熱集熱パネル３直後の熱媒体温度Ｔ４が、許容最高温度Ｔ４ＭＡＸよりいくらか低い温度「Ｔ４ＭＡＸ−ΔＴ４ＭＡＸ」となるように、三方弁Ｖｂを比例制御する。係る比例制御により、より多量の熱媒体が貯湯槽を通過して、その保有する熱量を貯湯槽４内に蓄熱するので、吸収式冷凍機１或いは暖房熱交換器５で必要とする以上の太陽熱が集熱できた場合に、余剰の太陽熱が貯湯槽４内に蓄熱されることになる。
【００７１】
三方弁Ｖｂの比例制御による太陽熱集熱パネル３直後の熱媒体温度Ｔ４の目標値「Ｔ４ＭＡＸ−ΔＴ４ＭＡＸ」において、例えば、Ｔ４ＭＡＸは９２℃であり、ΔＴ４ＭＡＸは１０℃である。すなわち、熱媒体温度Ｔ４の目標値「Ｔ４ＭＡＸ−ΔＴ４ＭＡＸ」（許容最高温度Ｔ４ＭＡＸよりいくらか低い温度）は、例えば、８２℃である。
【００７２】
ステップＳ５４では、集熱パネル３の出口直後の熱媒体温度Ｔ４が当該箇所の許容最高温度Ｔ４ＭＡＸを若干上回る温度「Ｔ４ＭＡＸ＋ΔＴ４ＭＡＸ３」よりも高温であるか否かを判断する。この温度「Ｔ４ＭＡＸ＋ΔＴ４ＭＡＸ３」は、空調システム１００の安全を考慮した場合における限界温度であり、前記熱媒体温度Ｔ４がこの温度を超えた場合には、直ちに空調システム１００の運転を停止するべき温度である。換言すれば、安全限界温度である。
係る安全限界温度「Ｔ４ＭＡＸ＋ΔＴ４ＭＡＸ３」において、例えば、Ｔ４ＭＡＸは９２℃であり、ΔＴ４ＭＡＸ３は３℃である。すなわち、許容最高温度Ｔ４ＭＡＸを若干上回る温度（安全限界温度「Ｔ４ＭＡＸ＋ΔＴ４ＭＡＸ３」）は、例えば９５℃である。
【００７３】
集熱パネル３出口直後の熱媒体温度Ｔ４が安全限界温度「Ｔ４ＭＡＸ＋ΔＴ４ＭＡＸ３」よりも高温であれば（ステップＳ５４がＹＥＳ）、これ以上運転を続けるのは危険なので、ステップＳ５５に進み、所定の安全停止措置がとられる。
一方、集熱パネル３出口直後の熱媒体温度Ｔ４が安全限界温度「Ｔ４ＭＡＸ＋ΔＴ４ＭＡＸ３」以下であれば（ステップＳ５４がＮＯ）、空調システム１００の運転が未だに可能であると判断して、ステップＳ５６に進む。
【００７４】
ステップＳ５６では、太陽熱集熱パネル３直後の熱媒体温度Ｔ４が許容最高温度Ｔ４ＭＡＸより低い温度「Ｔ４ＭＡＸ−ΔＴ４ＭＡＸ２」未満であるか否かを判断する。
係る温度「Ｔ４ＭＡＸ−ΔＴ４ＭＡＸ２」は、太陽熱集熱パネル３直後の熱媒体温度であって、三方弁Ｖｂを比例制御して、太陽熱回路Ｌを流れる熱媒体と、貯湯槽４の下方領域から流出する熱媒体とを混合しなくても、吸収式冷凍機１或いは暖房熱交換器５に投入された太陽熱が有効利用されないという事態が生じない温度（しきい値温度）として設定されている。
【００７５】
前記熱媒体温度Ｔ４がしきい値温度「Ｔ４ＭＡＸ−ΔＴ４ＭＡＸ２」よりも低温であれば（ステップＳ５６がＹＥＳ）、三方弁Ｖｂを比例制御して、太陽熱回路Ｌを流れる熱媒体と、貯湯槽４の下方領域から流出する熱媒体とを混合する必要がない。そのため、ステップＳ５７では、ポンプＰ２を停止し、貯湯槽４から熱媒体が流出しないようにして、熱媒体三方弁Ｖｂのポートｄとポートｅとを１００％連通する。それと共に、開閉弁Ｖ１、Ｖ４を閉鎖し、開閉弁Ｖ２、Ｖ３を開放する。そして、図５の「エンド」に進み、図５の過熱防止制御を終了する。その結果、図３で示す制御では、ステップＳ３６からステップＳ２６に進み、ステップＳ３７からステップＳ２５に進む。或いは、図４で示す制御では、ステップＳ４２からステップＳ４３に進む。
【００７６】
ここで、しきい値温度「Ｔ４ＭＡＸ−ΔＴ４ＭＡＸ２」において、例えば、Ｔ４ＭＡＸは９２℃であり、ΔＴ４ＭＡＸ２は１５℃である。すなわち、しきい値温度「Ｔ４ＭＡＸ−ΔＴ４ＭＡＸ２」は、例えば、７７℃である。
前記熱媒体温度Ｔ４がしきい値温度「Ｔ４ＭＡＸ−ΔＴ４ＭＡＸ２」以上の温度であれば（ステップＳ５６がＮＯ）、ステップＳ５３まで戻り、ステップＳ５３以降を繰り返す。
【００７７】
図５の過熱防止制御によれば、太陽熱集熱パネル３が過熱状態となった場合でも、可能な限り空調システム１００の運転を継続することができる。また、過熱状態の間に集熱した太陽熱を貯湯槽４で蓄熱して、係る蓄熱を日射量が不足した場合に吸収式冷凍機１或いは暖房熱交換器５に投入する太陽熱として利用することができる。
そして、熱媒体温度が太陽熱回路Ｌの機器を破損する程度まで上昇したならば、直ちに空調システム１００を安全停止させて、機器の損傷を回避することができる。
【００７８】
図６は、図１で示すシステムにおいて、太陽熱を吸収式冷凍機１或いは暖房熱交換器５で利用する場合に、日射量が不足した場合の制御と、不足した日射量がその後回復した場合の制御を示している。
図６の制御では、日射不足等が原因で集熱パネル３による集熱量が減少した際に、ポンプＰ１、Ｐ２を停止させ、その後に日射量が回復した際には、ポンプＰ１、Ｐ２の運転を再開している。
【００７９】
図６のステップＳ６１において、コントロールユニット１０は、第４の温度センサＳｔ４及び第５の温度センサＳｔ５の計測結果から、太陽熱集熱パネル３の出口温度Ｔ４と入口温度Ｔ５との温度差「Ｔ４−Ｔ５」の値がしきい値ΔＴ５よりも少ないか否かを判断する。温度差「Ｔ４−Ｔ５」の値がしきい値ΔＴ５よりも小さければ（ステップＳ６１がＹＥＳ）、太陽熱集熱パネル３で熱媒体が十分に加熱されていないので、日射量が不足すると判断して、ステップＳ６２に進む。
一方、温度差「Ｔ４−Ｔ５」の値がしきい値ΔＴ５以上であれば（ステップＳ６１がＮＯ）、日射量は不足しておらず、太陽熱集熱パネル３で熱媒体が十分に加熱されていると判断して、「エンド」に進み、図６の制御を終了する。そして、図２におけるステップＳ１５からステップＳ６に進み、或いは、ステップＳ１７からステップＳ１０に進む。
【００８０】
ステップＳ６２では所定時間が経過するまで待機し、所定時間が経過したら（ステップＳ６２がＹＥＳ）、ステップＳ６３で、再度、太陽熱集熱パネルの出口温度Ｔ４と入口温度Ｔ５の温度差「Ｔ４−Ｔ５」の値がしきい値ΔＴ５よりも小さいか否かを判断する。温度差「Ｔ４−Ｔ５」がしきい値ΔＴ５よりも小さければ（ステップＳ６３がＹＥＳ）、日射不足であると再度判断して、ステップＳ６４に進む。
温度差「Ｔ４−Ｔ５」の値がしきい値ΔＴ５以上であれば（ステップＳ６３がＮＯ）、「エンド」に進み、図６の制御を終了する。そして、図２におけるステップＳ１５からステップＳ６に進み、或いは、ステップＳ１７からステップＳ１０に進む。
ここで、温度差「Ｔ４−Ｔ５」は、空調で実際に使用される太陽熱エネルギ（＝太陽熱集熱パネルにおける集熱量×冷房或いは暖房変換効率）に比例する。そして、係る太陽熱エネルギがポンプＰ１動力よりも小さい場合には、日射量が不足しており、太陽熱が利用できないと判断して、ポンプＰ１の運転を中止する。一方、太陽熱エネルギがポンプＰ１動力以上であれば、太陽熱が利用可能と判断してポンプＰ１を運転する。その様な見地から、前記しきい値ΔＴ５は定められている。
【００８１】
ステップＳ６４（温度差「Ｔ４−Ｔ５」がしきい値ΔＴ５よりも小さい：ステップＳ６３がＹＥＳ）では、日射量が不足しており、太陽熱集熱パネル３で熱媒体を加熱することは望めないので、太陽熱回路のポンプＰ１及び分岐回路ＬＢ１のポンプＰ２の双方を停止させ、開閉弁Ｖ１、Ｖ４を閉鎖し、開閉弁Ｖ２、Ｖ３を開放する。そして、ステップＳ６５に進み、第６の温度センサＳｔ６によって太陽熱集熱パネル３の表面温度Ｔ６を計測し、太陽熱集熱パネル３の表面温度Ｔ６がしきい値温度Ｔ６ＳＴＤよりも高温であるか否かを判断する。ここで、しきい値Ｔ６ＳＴＤは、太陽熱集熱場ネル３で熱媒体が加熱される限界温度であり、太陽熱集熱パネル３の表面温度Ｔ６がしきい値温度Ｔ６ＳＴＤよりも高温であるか否かの判断は、日射量が回復したか否かの判断である。
なお、ステップＳ６５で判断パラメータとされる温度は、太陽熱集熱パネル３の表面温度Ｔ６に限定されるものではない。例えば、第４の温度センサＳｔ４によって計測される太陽熱集熱パネル３における出口直後の熱媒体温度Ｔ４を、ステップＳ６５における判断パラメータとして用いることも出来る。もちろん、その他の温度を判断パラメータとすることも可能である。
【００８２】
太陽熱集熱パネル３の表面温度Ｔ６がしきい値温度Ｔ６ＳＴＤよりも高温であれば（ステップＳ６５がＹＥＳ）、日射は回復したと判断する。この段階では、ポンプＰ１、Ｐ２が停止しており、熱媒体温度は低い状態にあるので、ステップＳ６６に進み、図２で示す起動制御におけるステップＳ２に進む。
一方、表面温度Ｔ６がしきい値温度Ｔ６ＳＴＤ以下であれば（ステップＳ６５がＮＯ）、日射は回復し邸内と判断して、ステップＳ６５がＮＯのループを繰り返す。
【００８３】
図７も、図６と同様に、図１で示すシステムにおいて、日射量が不足した場合の制御と、不足した日射量がその後回復した場合の制御を示している。
ただし、図７で示す制御は、日射量が回復したか否かを判断する手順が、図６で示す制御とは異なっている。
【００８４】
図７のステップＳ７１〜ステップＳ７４までは、図６のステップＳ６１〜ステップＳ６４と同様の制御が行われる。
図７のステップＳ７５において、一定時間ｔ２のカウントを開始し、一定時間ｔ２が経過したなら（ステップＳ７６がＹＥＳ）、ステップＳ７７で一定時間ｔ２をリセットする。ここで、一定時間ｔ２は、日射量が回復するのに十分な時間として、適宜設定される。
【００８５】
次のステップＳ７８では太陽熱回路ＬのポンプＰ１を作動し、ステップＳ７９では所定時間ｔ２が経過したか否かを判断する。所定時間ｔ２は、温水が太陽熱回路Ｌを２順以上循環する時間として設定される。所定時間ｔ２が経過したならば（ステップＳ７９がＹＥＳ）、ステップＳ８０に進む。
図７の図７のステップＳ７５以下における日射量が回復したか否かの判断を行なう制御は、例えば太陽熱集熱パネル３の表面に温度センサＳｔ６を取り付けることが出来ないため、太陽熱集熱パネル３の表面温度Ｔ６をパラメータとする制御が出来ない場合に行なわれ、一時的にポンプＰ１を駆動して、太陽熱集熱パネルの出口温度Ｔ４と入口温度Ｔ５の温度差「Ｔ４−Ｔ５」によって、日射量の回復を判定している。
【００８６】
ステップＳ８０では、コントロールユニット１０は、太陽熱集熱パネルの出口温度Ｔ４と、入口温度Ｔ５とを計測し、温度差「Ｔ４−Ｔ５」がしきい値ΔＴ４−１を超えているか否かを判断する。
太陽熱集熱パネルの出口温度Ｔ４と、入口温度Ｔ５の温度差「Ｔ４−Ｔ５」がしきい値ΔＴ４−１よりも大きければ（ステップＳ８０がＹＥＳ）、日射量が回復して、太陽熱集熱パネル３で熱媒体が十分に加熱可能であると判断して、「エンド」に進み、日射量の不足判断及び回復判断に係る制御を終了する。そして、図２におけるステップＳ１５からステップＳ６に進み、或いは、ステップＳ１７からステップＳ１０に進む。
【００８７】
一方、太陽熱集熱パネルの出口温度Ｔ４と入口温度Ｔ５の温度差「Ｔ４−Ｔ５」がしきい値ΔＴ４−１以下であれば（ステップＳ８０がＮＯ）、日射量は回復していないと判断して、ポンプＰ１を停止させて（ステップＳ８１）、ステップＳ７５以下を繰り返す。
ここで、温度差「Ｔ４−Ｔ５」は、空調で実際に使用される太陽熱エネルギ（＝太陽熱集熱パネルにおける集熱量×冷房或いは暖房変換効率）に比例する。そして、係る太陽熱エネルギがポンプＰ１動力よりも小さい場合には、日射量が不足しており、太陽熱が利用できないと判断して、ポンプＰ１の運転を中止する。一方、太陽熱エネルギがポンプＰ１動力以上であれば、太陽熱が利用可能と判断してポンプＰ１を運転する。その様な見地から、前記しきい値ΔＴ４−１は定められている。
【００８８】
図６、図７の日射不足判定制御によれば、日射が不足しており、太陽熱集熱パネル３により熱媒体を加熱できない場合にポンプＰ１を停止させるので、熱媒体を加熱することが出来ず、熱媒体を太陽熱回路Ｌ内で循環させる必要がない場合に、ポンプＰ１の不要な動力の消費を抑制することができる。
【００８９】
図８は、図１で示すシステムにおいて、吸収式冷凍機１或いは暖房熱交換器５を停止する場合の制御を示している。
図８のステップＳ９１において、吸収冷凍機１或いは暖房熱交換器５の停止信号が発信される。
ステップＳ９２では、三方弁Ｖａ或いは三方弁Ｖｃを閉鎖するのに必要な時間（ステップＳ９２における「所定時間」）が経過したか否かを判断し、所定時間が経過したなら（ステップＳ９２がＹＥＳ）、ステップＳ９３において、ポンプＰ１およびＰ２を停止させる。そして、三方弁Ｖｂを制御して、太陽熱回路Ｌの分岐点Ｂ１よりも集熱パネル３側の領域には、貯湯槽４からの熱媒体が流れないようにする。すなわち、太陽熱回路Ｌの分岐点Ｂ１よりも集熱パネル３側の領域には、太陽熱回路Ｌの分岐点Ｂ１よりも吸収冷凍機１側の領域を流れた熱媒体が１００％流れるようにせしめる。
【００９０】
ステップＳ９３では、さらに、開閉弁Ｖ１、Ｖ４を閉鎖して、開閉弁Ｖ２、Ｖ３を開放する。そして、吸収式冷凍機１或いは暖房熱交換器５を停止する場合の制御を終了する。
ここで、開閉弁Ｖ１、Ｖ４を閉鎖して、開閉弁Ｖ２、Ｖ３を開放するのが、開閉バルブＶ１〜Ｖ４における吸収式冷凍機１或いは暖房熱交換器５が停止中のノーマルポジションである。
【００９１】
図９は、図１で示すシステムで、吸収式冷凍機１或いは暖房熱交換器５が停止している間において、日射量が十分にある場合に蓄熱する制御を示している。
図９で示す制御では、日射量が不足している場合には、蓄熱を中止する。
【００９２】
図９のステップＳ１０１において、コントロールユニット１０は、太陽熱集熱パネル３の表面温度Ｔ６が、しきい値Ｔ６ＳＴＤよりも高温であるか否かを判断している。そして、太陽熱集熱パネル３の表面温度Ｔ６がしきい値Ｔ６ＳＴＤよりも高温になるまで、待機している（ステップＳ１０１がＮＯのループ）。
ここで、しきい値Ｔ６ＳＴＤは、十分な日射が存在するか否かを判断するためのパラメータ、換言すれば貯湯槽４で蓄熱出来るか否かを判断するためのパラメータであり、太陽熱集熱パネル３の表面温度である。
なお、ステップＳ１０１で判断パラメータとされる温度は、太陽熱集熱パネル３の表面温度Ｔ６に限定されるものではない。例えば、第４の温度センサＳｔ４によって計測される太陽熱集熱パネル３における出口直後の熱媒体温度Ｔ４を、ステップＳ１０１における判断パラメータとして用いることも出来る。もちろん、その他の温度を判断パラメータとすることも可能である。
【００９３】
太陽熱集熱パネル３の表面温度Ｔ６がしきい値Ｔ６ＳＴＤよりも高温であれば（ステップＳ１０１がＹＥＳ）、ステップＳ１０２に進む。ステップＳ１０２では、貯湯槽４における蓄熱が可能であると判断して、ポンプＰ１及びポンプＰ２を起動し、三方弁Ｖｂのポートｃとポートｅとを連通して、分岐点Ｂ１において、太陽熱回路Ｌの熱媒体を、全て分岐回路ＬＢ１側に流す。それと共に、開閉弁Ｖ１、Ｖ４を開放し、開閉弁Ｖ２、Ｖ３を閉鎖して、貯湯槽４における成層状態を維持しつつ、太陽熱集熱パネル３で集熱した太陽熱を蓄熱している。
【００９４】
次にステップＳ１０３では、太陽熱集熱パネル出口３ｏ直後の熱媒体温度Ｔ４が最高許容値Ｔ４ＭＡＸに余裕代ΔＴ４ＭＡＸ３を持たせた温度「Ｔ４ＭＡＸ＋ΔＴ４ＭＡＸ３」よりも高温であるか否かを判断する。熱媒体温度Ｔ４が温度「Ｔ４ＭＡＸ＋ΔＴ４ＭＡＸ３」よりも高温であれば（ステップＳ１０３がＹＥＳ）、これ以上運転を続けると、熱媒体が過熱状態となり、危険であると判断して、ステップＳ１０４に進み、空調システム１００を安全停止させる。
一方、熱媒体温度Ｔ４が温度「Ｔ４ＭＡＸ＋ΔＴ４ＭＡＸ３」以下であれば（ステップＳ１０３がＮＯ）、熱媒体が過熱状態となることはなく、危険はないと判断して、ステップＳ１０５に進む。
【００９５】
ステップＳ１０５では、コントロールユニット１０は、太陽熱集熱パネルの出口温度Ｔ４と、入口温度Ｔ５の温度差「Ｔ４−Ｔ５」の値がしきい値ΔＴ５（例えば１℃）よりも小さいか否かを判断する。温度差「Ｔ４−Ｔ５」の値がしきい値ΔＴ５以上であれば（ステップＳ１０５がＮＯ）、日射は良好であり、熱媒体は集熱パネル３により良好に加熱されている判断して、ステップＳ１０３以降を繰り返す。
一方、温度差「Ｔ４−Ｔ５」の値がしきい値ΔＴ５よりも小さければ（ステップＳ１０５がＹＥＳ）、日射量が不足しており、熱媒体は集熱パネル３により加熱されていないと判断して、ステップＳ１０６に進む。
【００９６】
ステップＳ１０６では所定時間が経過するまで待機する。ここで、ステップＳ１０６における「所定時間」とは、日射量の回復に十分な時間として設定されている。当該所定時間が経過したら（ステップＳ１０６がＹＥＳ）、ステップＳ１０７において、再び、太陽熱集熱パネルの出口温度Ｔ４と入口温度Ｔ５の温度差「Ｔ４−Ｔ５」の値がしきい値ΔＴ５未満であるか否かを判断する。
温度差「Ｔ４−Ｔ５」の値がしきい値ΔＴ５未満であれば（ステップＳ１０７がＹＥＳ）、日射量は回復していないと判断して、ステップＳ１０８に進む。
一方、温度差「Ｔ４−Ｔ５」の値がしきい値ΔＴ５以上であれば（ステップＳ１０７がＮＯ）、日射量が回復したと判断して、ステップＳ１０３以降を繰り返す。
【００９７】
ステップＳ１０８（温度差「Ｔ４−Ｔ５」の値がしきい値ΔＴ５未満：ステップＳ１０７がＹＥＳ）では、太陽熱集熱パネル３の表面温度Ｔ６がしきい値温度Ｔ６ＳＴＤよりも高温であるか否かを判断する。
太陽熱集熱パネル３の表面温度Ｔ６がしきい値温度Ｔ６ＳＴＤよりも高温であれば（ステップＳ１０８がＹＥＳ）、日射量が回復していると判断して、ステップＳ１０３以降を繰り返す。
一方、表面温度Ｔ６がしきい値Ｔ６ＳＴＤ以下であれば（ステップＳ１０８がＮＯ）、ステップＳ１０９に進む。
なお、ステップＳ１０８で判断パラメータとされる温度は、太陽熱集熱パネル３の表面温度Ｔ６に限定されるものではない。例えば、第４の温度センサＳｔ４によって計測される太陽熱集熱パネル３における出口直後の熱媒体温度Ｔ４を、ステップＳ１０８における判断パラメータとして用いることも出来る。もちろん、その他の温度を判断パラメータとすることも可能である。
【００９８】
ステップＳ１０９では、日射量は不足したままであり、貯湯槽４に蓄熱することは出来ないと判断して、ポンプＰ１、Ｐ２を停止し、熱媒体の循環を停止する。そして、三方弁Ｖｂのポートｃとポートｅとを連通して、分岐点Ｂ１において、太陽熱回路Ｌの熱媒体を、全て分岐回路ＬＢ１側に流す。さらに、開閉弁Ｖ１、Ｖ４を閉鎖し、開閉弁Ｖ２、Ｖ３を開放して、ステップＳ１０１に戻り、再びステップＳ１０１以降を繰り返す。
ステップＳ１０９終了後における開閉弁Ｖ１〜Ｖ４のポジションは、吸収式冷凍機１が停止中のノーマルポジションである。
【００９９】
図１０も、図９と同様に、図１で示すシステムで吸収式冷凍機１或いは暖房熱交換器５が停止している間に、日射量が十分にあれば貯湯槽４で蓄熱し、日射量が不足している場合には蓄熱を中止する制御を示している。
ただし、図１０で示す制御は、日射量が回復したか否かを判断する手順が、図９で示す制御とは異なっている。
【０１００】
図１０のステップＳ１１１〜ステップＳ１１９までは、図９のステップＳ１０１〜ステップＳ１０９の制御と同様である。但し、図１０におけるステップＳ１１１では、後述するステップＳ１２６と同様の処理を行っても良い。
図１０のステップＳ１２０以降は、図９の制御とは異なっている。
図１０のステップＳ１２０において、所定経過時間ｔ２のカウントを開始し、所定経過時間ｔ２が経過したなら（ステップＳ１２１がＹＥＳ）、ステップＳ１２２で、所定経過時間ｔ２をリセットする。ここで所定経過時間ｔ２は、日射量が回復するのに十分な時間として設定されている。
ステップＳ１２３では太陽熱回路ＬのポンプＰ１を作動させる。そして、所定時間（温水が太陽熱回路Ｌを２順以上循環する以上の時間）が経過したか否かを判断する（ステップＳ１２４）。所定時間（温水が太陽熱回路Ｌを２順以上循環する以上の時間）が経過したならば（ステップＳ１２４がＹＥＳ）、ステップＳ１２５に進む。
【０１０１】
ステップＳ１２５では、コントロールユニット１０は、太陽熱集熱パネル３の出口温度Ｔ４と入口温度Ｔ５とを計測し、温度差「Ｔ４−Ｔ５」がしきい値ΔＴ４−１よりも大きいか否かを判断する。太陽熱集熱パネルの出口温度Ｔ４と入口温度Ｔ５の温度差「Ｔ４−Ｔ５」がしきい値ΔＴ４−１よりも大きければ（ステップＳ１２５がＹＥＳ）、日射量が回復しており、太陽熱集熱パネル３により熱媒体を加熱可能であると判断して、ステップＳ１１１以降を繰り返す。
一方、太陽熱集熱パネルの出口温度Ｔ４と入口温度Ｔ５の温度差「Ｔ４−Ｔ５」がしきい値ΔＴ４−１以下であれば（ステップＳ１２５がＮＯ）、日射量は回復しておらず、太陽熱集熱パネル３により熱媒体を加熱することが出来ないと判断して、ポンプＰ１を停止し（ステップＳ１２６）、ステップＳ１２０以下を繰り返す。
【０１０２】
図９、図１０の制御では、吸収式冷凍機１或いは暖房熱交換器５の停止時においても、太陽熱を集熱可能であれば、貯湯槽４に蓄熱するので、日射量が不足している場合や、ポンプＰ１起動直後で太陽熱回路Ｌ内の熱媒体温度が低い場合に、貯湯槽４内の蓄熱を吸収式冷凍機１或いは暖房熱交換器５に投入することが可能となる。
換言すれば、係る制御により、日射量と吸収冷凍機１或いは暖房熱交換器５に連通した冷暖房負荷とが同期していないことによる太陽熱量のアンバランスを吸収し、空調システムの効率を向上させることが出来る。
なお、図９、図１０の制御は、吸収式冷凍機１或いは暖房熱交換器５が停止している場合における制御であって、吸収式冷凍機１或いは暖房熱交換器５が作動を開始すれば、直ちに図２の起動ルーチンに戻る。
【０１０３】
図１１は、吸収式冷凍機１或いは暖房熱交換器５が停止している間において、太陽熱回路Ｌを循環する熱媒体が凍結してしまうことを防止する凍結防止制御を示している。
図１１のステップＳ１３１において、コントロールユニット１０は、太陽熱集熱パネル３直後の熱媒体温度Ｔ４が最低許容値Ｔ４ＭＩＮよりも低温であるか否かを判断する。
ここで、最低許容値Ｔ４ＭＩＮは、太陽熱集熱パネル３直後の熱媒体温度がこの温度よりも低温であると、太陽熱回路Ｌ中の熱媒体が凍結する可能性がある温度である。集熱パネル３の種類によって相違する。
【０１０４】
太陽熱集熱パネル３直後の熱媒体温度Ｔ４が最低許容値Ｔ４ＭＩＮよりも低温であれば（ステップＳ１３１がＹＥＳ）、熱媒体が凍結する可能性があると判断して、ステップＳ１３３まで進む。
一方、太陽熱集熱パネル３直後の熱媒体温度Ｔ４が最低許容値Ｔ４ＭＩＮ以上であれば（ステップＳ１３１がＮＯ）、ステップＳ１３２で、太陽熱集熱パネル３の表面温度Ｔ６が表面温度最低許容値Ｔ６ＭＩＮよりも低温であるか否かを判断する。表面温度最低許容値Ｔ６ＭＩＮは、太陽熱集熱パネル３の表面温度であって、この温度よりも低温であると、太陽熱回路Ｌ中の熱媒体が凍結する可能性がある温度である
【０１０５】
太陽熱集熱パネル３の表面温度Ｔ６が表面温度最低許容値Ｔ６ＭＩＮよりも低温であれば（ステップＳ１３２がＹＥＳ）、熱媒体が凍結する可能性があると判断して、ステップＳ１３３に進む。
一方、表面温度Ｔ６が表面温度最低許容値Ｔ６ＭＩＮ以上であれば（ステップＳ１３２がＮＯ）、熱媒体が凍結する恐れはないと判断して、ステップＳ１３１に戻る。
ステップＳ１３３では、熱媒体が凍結する可能性があるため、ポンプＰ１を起動して熱媒体を循環させて、熱媒体の凍結を防止する。それと共に、熱媒体全体の熱容量を大きくするため、ポンプＰ２も起動する。そして、三方弁Ｖｂを切換制御して、太陽熱回路Ｌの熱媒体を分岐点Ｂ１で、１００％分岐回路ＬＢ１側に流し、ステップＳ１３４に進む。
ステップＳ１３４では、コントロールユニット１０は、太陽熱集熱パネル３直後の熱媒体の温度Ｔ４が最低許容温度Ｔ４ＭＩＮに余裕代ΔＴ４ＭＩＮを加えた温度「Ｔ４ＭＩＮ＋ΔＴ４ＭＩＮ」よりも高温であるか否かを判断する。
【０１０６】
太陽熱集熱パネル３直後の熱媒体の温度Ｔ４が温度「Ｔ４ＭＩＮ＋ΔＴ４ＭＩＮ」よりも高温であれば（ステップＳ１３４がＹＥＳ）、ステップＳ１３５に進む。一方、太陽熱集熱パネル３直後の熱媒体の温度Ｔ４が温度「Ｔ４ＭＩＮ＋ΔＴ４ＭＩＮ」以下であれば（ステップＳ１３４がＮＯ）、未だに熱媒体が凍結する可能性があると判断して、ステップＳ１３４以降を繰り返す。
ステップＳ１３５（太陽熱集熱パネル３直後の熱媒体の温度Ｔ４が温度「Ｔ４ＭＩＮ＋ΔＴ４ＭＩＮ」よりも高温：ステップＳ１３４がＹＥＳ）では、コントロールユニット１０は、太陽熱集熱パネル３の表面温度Ｔ６が、最低許容値Ｔ６ＭＩＮに余裕代ΔＴ６ＭＩＮを加えた温度「最低許容値Ｔ６ＭＩＮ＋ΔＴ６ＭＩＮ」よりも高温であるか否かを判断する。
【０１０７】
太陽熱集熱パネル３の表面温度Ｔ６が温度「最低許容値Ｔ６ＭＩＮ＋ΔＴ６ＭＩＮ」よりも高温であれば（ステップＳ１３５がＹＥＳ）、熱媒体が凍結する恐れはないと判断して、ステップＳ１３６に進む。
一方、太陽熱集熱パネル３の表面温度Ｔ６が温度「最低許容値Ｔ６ＭＩＮ＋ΔＴ６ＭＩＮ」以下であれば（ステップＳ１３５がＮＯ）、未だに熱媒体が凍結する可能性があると判断して、ステップＳ１３４以降を繰り返す。
【０１０８】
ステップＳ１３６（太陽熱集熱パネル３の表面温度Ｔ６が温度「最低許容値Ｔ６ＭＩＮ＋ΔＴ６ＭＩＮ」よりも高温：ステップＳ１３５がＹＥＳ）では、熱媒体が凍結する恐れはないと判断されているので、ポンプＰ１及びＰ２を停止し、三方弁Ｖｂのポートｄとポートｅとを連通して、太陽熱回路Ｌの熱媒体を分岐点Ｂ１では１００％貯湯槽４をバイパスさせて、ステップＳ１３１まで戻る。そして、再びステップＳ１３１以降を繰り返す。
【０１０９】
図１１の凍結防止制御によれば、吸収式冷凍機１或いは暖房熱交換器５の停止時に熱媒体が凍結する恐れがある場合には、ポンプＰ１、Ｐ２を作動して熱媒体を循環させて、凍結を防止する。
太陽熱回路Ｌ内に循環する熱媒体の凍結を防止することにより、太陽熱回路Ｌ及び太陽熱回路Ｌに介装された各種機器類の破損を回避できる。
【０１１０】
図１２は、起動時におけるヒートショック防止制御を示している。
日射量が多い状態では太陽熱回路Ｌ内、特に太陽熱集熱パネル３は高温に熱せられており、吸収式冷凍機１或いは暖房熱交換器５が起動した後（図２のステップＳ１）、直ちに熱媒体を流すと、熱媒体が瞬時に蒸発して圧力が爆発的に増加し、太陽熱回路Ｌ内の各種機器を破損してしまう（いわゆる「ヒートショック」の）恐れがある。
図１２は、吸収式冷凍機１及び暖房熱交換器５の起動信号が発生した場合（ステップＳ１）に、上述した「ヒートショック」を未然に防止するための制御（ヒートショック防止制御）を示している。
【０１１１】
図１２において、先ず、太陽熱集熱パネル３の表面温度Ｔ６と、太陽熱集熱パネル３と圧力センサ７との間の領域における熱媒体温度Ｔ４とを計測する（ステップＳ１４１）。
図１２では明示していないが、熱媒ポンプＰ１が停止していることが前提である。
ここで、図１２では制御パラメータとして、太陽熱集熱パネル３の表面温度Ｔ６と、太陽熱集熱パネル３の出口側領域における熱媒体温度Ｔ４とが示されているが、これは例示であり、太陽熱回路Ｌの過熱状態が判定できる温度であれば、Ｔ６、Ｔ４には限定されない。
【０１１２】
そして、温度Ｔ６としきい値Ｔ６ＭＡＸ（太陽熱集熱パネル３の表面温度におけるヒートショックを起こすしきい値）とを比較し（ステップＳ１４２）、温度Ｔ４としきい値Ｔ４ＭＡＸ（太陽熱集熱パネル３の出口側領域における熱媒体温度についての、ヒートショックを起こすしきい値）とを比較する（ステップＳ１４３）。
ここで、図１２では、温度Ｔ６としきい値Ｔ６ＭＡＸとの比較（ステップＳ１４２）、温度Ｔ４としきい値Ｔ４ＭＡＸとの比較（ステップＳ１４３）の順番となっているが、太陽熱回路Ｌの過熱状態が判定できる温度とそのしきい値とを比較する順番は任意である。
また、温度Ｔ６としきい値Ｔ６ＭＡＸとの比較、温度Ｔ４としきい値Ｔ４ＭＡＸとの比較を同時に実行しても良い。
【０１１３】
温度Ｔ６、Ｔ４のいずれか１つがしきい値よりも高温であれば（ステップＳ１４２、Ｓ１４３の何れかがＹＥＳ）、ステップＳ１４４に進む。ステップＳ１１４では、所定時間が経過するまで待機しており（ステップＳ１４４がＮＯのループ）、所定時間が経過したなら（ステップＳ１４４がＹＥＳ）、ステップＳ１４１まで戻り、再びステップＳ１４１以降を繰り返す。
ステップＳ１４４を介してステップＳ１４１に戻るループにおいては、ヒートショックを起こす可能性があると判断して、熱媒ポンプＰ１を作動せず、熱媒体を太陽熱回路Ｌには流さない。
温度Ｔ６、Ｔ４が何れもしきい値以下の温度であれば（ステップＳ１４２、Ｓ１４３が共にＮＯ）、ヒートショックの恐れはないと判断して、熱媒ポンプＰ１を直ちに作動する（ステップＳ２１）。そして、図２のステップＳ２に進む。
【０１１４】
次に図１３を参照して、停電時の制御を説明する。
停電には、停電している時間が瞬時である「瞬停」と、停電している時間が短時間である「短時間停電」と、「短時間停電以上の長い時間に亘る停電」の３種類がある。
上記３種類の停電している時間の長さ関係は、
「  瞬停＜短時間停電＜短時間停電以上の長い時間に亘る停電  」である。
【０１１５】
ここで「瞬停」とは、吸収式冷凍機１で冷房運転の最中に停電した場合に、吸収溶液を希釈してから停止しなくても、晶析が生じない程度に短い時間の停電を意味している。
そして「短時間停電」とは、停電により太陽熱回路Ｌにおける熱媒体の循環が停止された際に、復電後、直ちに熱媒体を循環しても、ヒートショックが生じない程度の時間の停電を意味している。
【０１１６】
図１３のステップＳ１５１（既に停電状態となっている）において、コントロールユニット１０は、停電前に冷房運転を行なっていたのか、或いは、暖房運転を行なっていたのかを判断する。停電前に冷房運転を行なっていた場合はステップＳ１５２に進み、停電前に暖房運転を行なっていた場合にはステップＳ１５５に進む。
ステップＳ１５２では、コントロールユニット１０は、停電が瞬停か否かを判断する。吸収式冷凍機１を冷房運転していた際に瞬停が起こった場合（ステップＳ１５２がＹＥＳ）には、復電から復帰した後、瞬停前と同じ状態で運転が再開される（ステップＳ１５７）。
【０１１７】
一方、瞬停ではない場合（ステップＳ１５２がＮＯ）には、吸収式冷凍機１における晶析防止のため、吸収式冷凍機１が停止する前に吸収溶液を希釈する操作を実行する。そして、コントロールユニット１０は、停電が「短時間停電」に該当するか否かを判断する（ステップＳ１５３）。
停電が「短時間停電」に該当する場合、すなわち、停電の時間が、空調システム１００が運転を再開した際にヒートショック等の問題が生じない程度の短時間である場合（ステップＳ１５３がＹＥＳ）、停電から復帰した際には、熱媒ポンプＰ１の運転を直ちに再開する（ステップＳ１５８）。
【０１１８】
一方、停電が短時間停電よりも更に長時間にわたる場合（ステップＳ１５３がＮＯ）には、復電後、直ちに熱媒体を循環すると、停電により太陽熱回路Ｌにおける熱媒体の循環が停止されている間に、熱媒体が加熱されて高温になっており、太陽熱回路Ｌにおいてヒートショックが生じる可能性がある。
そのため、ステップＳ１５４において、空調システムの種類毎に定められた運転再開のシーケンスに従って、運転を再開する。
【０１１９】
暖房運転を行なっている場合（ステップＳ１５１で「暖房運転」）には、ステップＳ１５５に進む。暖房熱交換器５の場合には、吸収式冷凍機１とは異なり、晶析の恐れは無い。そのため、瞬停よりも長時間に亘って停電が続く場合であっても、吸収溶液を希釈してから吸収式冷凍機１を停止する必要がない。
そのため、ステップＳ１５５では、短時間停電であるか否かを判断し、短時間停電に該当する場合には（ステップＳ１５５がＹＥＳ）ヒートショックの問題は生じないので、復電後、直ちに停電前と同じ状態で暖房運転を再開する（ステップＳ１５６）。
【０１２０】
一方、停電が短時間停電よりも更に長時間にわたる停電の場合（ステップＳ１５５がＮＯ）、復電後、直ちに熱媒体を循環させると、停電により太陽熱回路Ｌにおける熱媒体の循環が停止されている間に、熱媒体が加熱されて高温になっており、太陽熱回路Ｌにおいてヒートショックが生じる可能性がある。
そのため、ステップＳ１５４に進み、空調システム１００の種類毎に定められた運転再開のシーケンスに従って、運転の再開を行ない、制御を終了する。
【０１２１】
コントロールユニット１０がバッテリを搭載している場合には、「瞬停」と「短時間停電」とを判断することが出来るが、コントロールユニット１０がバッテリを搭載していない場合には、停電の瞬間に制御が出来なくなり、「瞬停」と「短時間停電」とを判断することが出来ない。
「瞬停」と「短時間停電」とを判断することが出来ない場合には、ステップＳ１５２、ステップＳ１５３では、「ＮＯ」と判断する。
【０１２２】
図示の実施形態における起動時の制御については図２を参照して説明したが、起動時における制御としては、図１４で示すような制御も可能である。
吸収冷凍機１或いは暖房負荷の起動直後は、強い日射が期待できない場合が存在する。図１４の制御は、係る場合において、太陽熱回路Ｌを循環する熱媒体温度を昇温するに際して、熱媒体循環ポンプＰ１を連続運転するよりも、断続的な運転或いは間欠運転を行なっている。以って、ポンプＰ１の駆動動力或いは熱媒体の搬送動力を節約しつつ、熱媒体温度を吸収冷凍機１側或いは暖房熱交換器５側で受け入れ可能な温度であるしきい値Ｔ０まで昇温させるのである。
【０１２３】
図１４において、ステップＳ１６１で吸収冷凍機１を駆動する。そしてステップＳ１６２で、第４の温度センサＳｔ４によって太陽熱集熱パネル３における出口直後の熱媒体温度Ｔ４を計測し、しきい値Ｔ０よりも高温であるか否かを判定する。
出口直後の熱媒体温度Ｔ４がしきい値Ｔ０よりも高温であれば（ステップＳ１６２がＹＥＳ）、ステップＳ１６３に進み、熱媒体循環ポンプＰ１を作動する。
出口直後の熱媒体温度Ｔ４がしきい値Ｔ０以下であれば（ステップＳ１６２がＮＯ）、ステップＳ１６２を繰り返す（ステップＳ１６２がＮＯのループ）。
ここで、ステップＳ１６２でしきい値Ｔ０と比較するパラメータとしては、太陽熱集熱パネル３における出口直後の熱媒体温度Ｔ４に限定される訳ではない。例えば、熱媒体温度Ｔ４に代えて、太陽熱集熱パネル３の表面温度Ｔ６を計測して、しきい値Ｔ０と比較しても良い。
【０１２４】
ステップＳ１６３でポンプＰ１を作動した後、ステップＳ１６４でポンプＰ１を作動してから所定時間が経過したか否かを判断する。ここで、「所定時間」については、システムの仕様その他により、ケース・バイ・ケースで決定される。
所定時間が経過したならば（ステップＳ１６４がＹＥＳ）、ステップＳ１６５に進み、再び太陽熱集熱パネル３における出口直後の熱媒体温度Ｔ４を計測し、しきい値Ｔ０よりも高温であるか否かを判定する。ステップＳ１６５においても、太陽熱集熱パネル３における出口直後の熱媒体温度Ｔ４に代えて太陽熱集熱パネル３の表面温度Ｔ６を計測し、しきい値Ｔ０と比較しても良い。
太陽熱集熱パネル３における出口直後の熱媒体温度Ｔ４（或いは、太陽熱集熱パネル３の表面温度Ｔ６）がしきい値Ｔ０よりも高温であれば（ステップＳ１６５がＹＥＳ）、ステップＳ１６６に進み、再び所定時間が経過したか否かが判断される。所定時間が経過していなければ（ステップＳ１６５がＮＯ）、ステップＳ１６５、Ｓ１６６を繰り返す（ステップＳ１６５がＮＯのループ）。
【０１２５】
太陽熱集熱パネル３における出口直後の熱媒体温度Ｔ４（或いは、太陽熱集熱パネル３の表面温度Ｔ６）がしきい値Ｔ０以下であれば（ステップＳ１６５がＮＯ）、ステップＳ１６８に進み、ポンプＰ１を停止する。
すなわち、熱媒体循環ポンプＰ１に着目すれば、太陽熱集熱パネル３における出口直後の熱媒体温度Ｔ４（或いは、太陽熱集熱パネル３の表面温度Ｔ６）がしきい値Ｔ０よりも高温となった場合（ステップＳ１６２がＹＥＳ）に作動するが、所定時間経過した後、熱媒体温度Ｔ４（或いは、太陽熱集熱パネル３の表面温度Ｔ６）がしきい値Ｔ０以下になると停止する。従って、太陽熱回路Ｌを循環する熱媒体全体がしきい値Ｔ０よりも高温になるまでは、ポンプＰ１は作動と停止とを繰り返す（断続的或いは間欠的に運転する）ことになる。
【０１２６】
ステップＳ１６６で所定時間が経過したならば（ステップＳ１６６がＹＥＳ）、ステップＳ１６７に進み、図３で示す運転制御（温水入口温度最適化制御を行なう場合の運転制御）、或いは、図４で示す運転制御（温水入口温度最適化制御を行なわない場合の運転制御）を行なう。
【０１２７】
図１で示すシステムにおいて、図２〜図５で示す制御、図６または図７で示す制御、図８で示す制御、図９または図１０で示す制御、図１１で示す制御を、適宜組み合わせて実行することが可能である。
【０１２８】
図示の実施形態はあくまでも例示であり、本発明の技術的範囲を限定する趣旨の記述ではない旨を付記する。
【図面の簡単な説明】
【０１２９】
【図１】本発明の実施形態のブロック図。
【図２】本発明の実施形態の起動時における制御を示すフローチャート。
【図３】本発明の実施形態で吸収式冷凍機に太陽熱を投入する場合における温水入口温度最適制御を示すフローチャート。
【図４】本発明の実施形態で、温水入口温度最適制御を行なわずに吸収式冷凍機へ太陽熱を投入する場合の運転制御フローチャート。
【図５】本発明の実施形態で吸収式冷凍機に太陽熱を投入する場合に太陽熱回路を流れる熱媒体の加熱を防止する制御を示すフローチャート。
【図６】本発明の実施形態で吸収式冷凍機に太陽熱を投入する場合に日射量が不足した場合及び不足した日射量が回復した場合の制御を示すフローチャート。
【図７】図Ｆの制御の変形例を示すフローチャート。
【図８】本発明の実施形態で吸収式冷凍機を停止する制御を示すフローチャート。
【図９】本発明の実施形態で吸収式冷凍機が停止している間に太陽熱を集熱し、日射量が不足している場合に集熱を中止する制御を示すフローチャート。
【図１０】図Ｉの制御の変形例を示すフローチャート。
【図１１】本発明の実施形態で吸収式冷凍機が停止している間に太陽熱回路を循環する熱媒体の凍結防止制御を示すフローチャート。
【図１２】本発明の実施形態で、吸収式冷凍機の起動信号が発生した場合にヒートショックを防止する制御を示すフローチャート。
【図１３】本発明の実施形態の停電時における制御を示すフローチャート。
【図１４】本発明の実施形態の起動時における制御であって、図２とは別の制御を示すフローチャート。
【符号の説明】
【０１３０】
１・・・吸収式冷凍機
２・・・太陽熱熱交換器（第１の熱交換器）
３・・・太陽熱集熱器／太陽熱集熱パネル
４・・・貯湯槽
５・・・第２の熱交換器
７・・・圧力センサ
８・・・膨張タンク
９・・・リリース弁
１０・・・コントロールユニット
Ｂ１・・・第１の分岐点
Ｌ・・・太陽熱回路
ＬＢ１・・・第１の分岐回路
Ｌｈ・・・暖房温水ライン
Ｐ１・・・第１のポンプ
Ｖ１、Ｖ２、Ｖ３、Ｖ４・・・開閉弁
Ｖｂ・・・三方弁
【図１】
2010014328.tif 000003
【図２】
2010014328.tif 000004
【図３】
2010014328.tif 000005
【図４】
2010014328.tif 000006
【図５】
2010014328.tif 000007
【図６】
2010014328.tif 000008
【図７】
2010014328.tif 000009
【図８】
2010014328.tif 000010
【図９】
2010014328.tif 000011
【図１０】
2010014328.tif 000012
【図１１】
2010014328.tif 000013
【図１２】
2010014328.tif 000014
【図１３】
2010014328.tif 000015
【図１４】
2010014328.tif 000016